(57)【特許請求の範囲】
【請求項１】
（イ）観察者の頭部に装着される眼鏡型のフレーム、並びに、
（ロ）フレームに取り付けられた右眼用及び左眼用の２つの画像表示装置、
を備えた頭部装着型ディスプレイであって、
各画像表示装置は、
（Ａ）画像形成装置、並びに、
（Ｂ）画像形成装置から出射された光が入射され、導光され、出射される光学装置、
を備えた頭部装着型ディスプレイにおける光学的位置調整方法であって、
各光学装置において表示される画像を、対応する撮像装置で撮像し、
各撮像装置によって得られた画像の位置の基準位置からのズレを求め、ズレを無くすように、少なくとも一方の画像表示装置を構成する画像形成装置への画像信号を制御することで、２つの画像の相互の位置を調整し、
基準位置は、２つの光学装置の前方の所定の位置に配置された被写体を撮像装置によって撮像したときに得られる、撮像装置における被写体撮像位置である頭部装着型ディスプレイにおける光学的位置調整方法。
【請求項２】
２つの画像の相互の位置の調整は、前記少なくとも一方の画像表示装置を構成する光学装置において表示される画像の左右への移動、上下への移動、及び、回転移動の任意の組合せである請求項１に記載の頭部装着型ディスプレイにおける光学的位置調整方法。
【請求項３】
光学装置は半透過型である請求項１又は請求項２に記載の頭部装着型ディスプレイにおける光学的位置調整方法。
【請求項４】
（イ）観察者の頭部に装着される眼鏡型のフレーム、並びに、
（ロ）フレームに取り付けられた右眼用及び左眼用の２つの画像表示装置、
を備えた頭部装着型ディスプレイであって、
各画像表示装置は、
（Ａ）画像形成装置、並びに、
（Ｂ）画像形成装置から出射された光が入射され、導光され、出射される光学装置、
を備えており、
少なくとも一方の画像表示装置を構成する画像形成装置への画像信号を制御することで、該少なくとも一方の画像表示装置を構成する光学装置において表示される画像の位置を制御し、以て、２つの画像の相互の位置を調整し、
頭部装着型ディスプレイから観察対象物までの距離に基づき、少なくとも一方の画像表示装置を構成する画像形成装置への画像信号を更に制御することで、頭部装着型ディスプレイから観察対象物までの距離に対応した輻輳角の調整を行い、
画像形成装置への画像信号に加え、頭部装着型ディスプレイから観察対象物までの距離情報が、外部から頭部装着型ディスプレイに送出される頭部装着型ディスプレイにおける光学的位置調整方法。
【請求項５】
（イ）観察者の頭部に装着される眼鏡型のフレーム、並びに、
（ロ）フレームに取り付けられた右眼用及び左眼用の２つの画像表示装置、
を備えた頭部装着型ディスプレイであって、
各画像表示装置は、
（Ａ）画像形成装置、並びに、
（Ｂ）画像形成装置から出射された光が入射され、導光され、出射される光学装置、
を備えており、
少なくとも一方の画像表示装置を構成する画像形成装置への画像信号を制御することで、該少なくとも一方の画像表示装置を構成する光学装置において表示される画像の位置を制御し、以て、２つの画像の相互の位置を調整し、
頭部装着型ディスプレイから観察対象物までの距離に基づき、少なくとも一方の画像表示装置を構成する画像形成装置への画像信号を更に制御することで、頭部装着型ディスプレイから観察対象物までの距離に対応した輻輳角の調整を行い、
画像形成装置への画像信号に加え、光学装置において表示すべき画像の輝度信号が、外部から頭部装着型ディスプレイに送出される頭部装着型ディスプレイにおける光学的位置調整方法。
【請求項６】
（イ）観察者の頭部に装着される眼鏡型のフレーム、並びに、
（ロ）フレームに取り付けられた右眼用及び左眼用の２つの画像表示装置、
を備えた頭部装着型ディスプレイであって、
各画像表示装置は、
（Ａ）画像形成装置、並びに、
（Ｂ）画像形成装置から出射された光が入射され、導光され、出射される光学装置、
を備えており、
少なくとも一方の画像表示装置を構成する画像形成装置への画像信号を制御することで、該少なくとも一方の画像表示装置を構成する光学装置において表示される画像の位置を制御し、以て、２つの画像の相互の位置を調整し、
頭部装着型ディスプレイから観察対象物までの距離に基づき、少なくとも一方の画像表示装置を構成する画像形成装置への画像信号を更に制御することで、頭部装着型ディスプレイから観察対象物までの距離に対応した輻輳角の調整を行い、
２つの光学装置によって形成される虚像の位置、あるいは、２つの光学装置によって形成される虚像の２つの光学装置からの距離を、経時的に変化させる頭部装着型ディスプレイにおける光学的位置調整方法。
【請求項７】
（イ）観察者の頭部に装着される眼鏡型のフレーム、並びに、
（ロ）フレームに取り付けられた右眼用及び左眼用の２つの画像表示装置、
を備えた頭部装着型ディスプレイであって、
各画像表示装置は、
（Ａ）画像形成装置、並びに、
（Ｂ）画像形成装置から出射された光が入射され、導光され、出射される光学装置、
を備えた頭部装着型ディスプレイにおける光学的位置調整方法であって、
各光学装置において表示される画像を、対応する撮像装置で撮像し、
各撮像装置によって得られた画像の位置の基準位置からのズレを求め、ズレを無くすように、少なくとも一方の画像表示装置を構成する画像形成装置への画像信号を制御することで、２つの画像の相互の位置を調整し、
頭部装着型ディスプレイから観察対象物までの距離に基づき、少なくとも一方の画像表示装置を構成する画像形成装置への画像信号を更に制御することで、頭部装着型ディスプレイから観察対象物までの距離に対応した輻輳角の調整を行い、
基準位置は、２つの光学装置の前方の所定の位置に配置された被写体を撮像装置によって撮像したときに得られる、撮像装置における被写体撮像位置である頭部装着型ディスプレイにおける光学的位置調整方法。
【請求項８】
（イ）観察者の頭部に装着される眼鏡型のフレーム、並びに、
（ロ）フレームに取り付けられた右眼用及び左眼用の２つの画像表示装置、
を備えた頭部装着型ディスプレイであって、
各画像表示装置は、
（Ａ）画像形成装置、並びに、
（Ｂ）画像形成装置から出射された光が入射され、導光され、出射される光学装置、
を備えた頭部装着型ディスプレイにおける光学的位置調整方法であって、
各光学装置において表示される画像を、対応する撮像装置で撮像し、
各撮像装置によって得られた画像の位置の基準位置からのズレを求め、ズレを無くすように、少なくとも一方の画像表示装置を構成する画像形成装置への画像信号を制御することで、２つの画像の相互の位置を調整し、
頭部装着型ディスプレイから観察対象物までの距離に基づき、少なくとも一方の画像表示装置を構成する画像形成装置への画像信号を更に制御することで、頭部装着型ディスプレイから観察対象物までの距離に対応した輻輳角の調整を行い、
画像形成装置への画像信号に加え、頭部装着型ディスプレイから観察対象物までの距離情報が、外部から頭部装着型ディスプレイに送出される頭部装着型ディスプレイにおける光学的位置調整方法。
【請求項９】
（イ）観察者の頭部に装着される眼鏡型のフレーム、並びに、
（ロ）フレームに取り付けられた右眼用及び左眼用の２つの画像表示装置、
を備えた頭部装着型ディスプレイであって、
各画像表示装置は、
（Ａ）画像形成装置、並びに、
（Ｂ）画像形成装置から出射された光が入射され、導光され、出射される光学装置、
を備えた頭部装着型ディスプレイにおける光学的位置調整方法であって、
各光学装置において表示される画像を、対応する撮像装置で撮像し、
各撮像装置によって得られた画像の位置の基準位置からのズレを求め、ズレを無くすように、少なくとも一方の画像表示装置を構成する画像形成装置への画像信号を制御することで、２つの画像の相互の位置を調整し、
頭部装着型ディスプレイから観察対象物までの距離に基づき、少なくとも一方の画像表示装置を構成する画像形成装置への画像信号を更に制御することで、頭部装着型ディスプレイから観察対象物までの距離に対応した輻輳角の調整を行い、
画像形成装置への画像信号に加え、光学装置において表示すべき画像の輝度信号が、外部から頭部装着型ディスプレイに送出される頭部装着型ディスプレイにおける光学的位置調整方法。
【請求項１０】
（イ）観察者の頭部に装着される眼鏡型のフレーム、並びに、
（ロ）フレームに取り付けられた右眼用及び左眼用の２つの画像表示装置、
を備えた頭部装着型ディスプレイであって、
各画像表示装置は、
（Ａ）画像形成装置、並びに、
（Ｂ）画像形成装置から出射された光が入射され、導光され、出射される光学装置、
を備えた頭部装着型ディスプレイにおける光学的位置調整方法であって、
各光学装置において表示される画像を、対応する撮像装置で撮像し、
各撮像装置によって得られた画像の位置の基準位置からのズレを求め、ズレを無くすように、少なくとも一方の画像表示装置を構成する画像形成装置への画像信号を制御することで、２つの画像の相互の位置を調整し、
頭部装着型ディスプレイから観察対象物までの距離に基づき、少なくとも一方の画像表示装置を構成する画像形成装置への画像信号を更に制御することで、頭部装着型ディスプレイから観察対象物までの距離に対応した輻輳角の調整を行い、
２つの光学装置によって形成される虚像の位置、あるいは、２つの光学装置によって形成される虚像の２つの光学装置からの距離を、経時的に変化させる記載の頭部装着型ディスプレイにおける光学的位置調整方法。
【請求項１１】
画像形成装置への画像信号に加え、頭部装着型ディスプレイから観察対象物までの距離情報が、外部から頭部装着型ディスプレイに送出される請求項５、請求項６、請求項７、請求項９及び請求項１０のいずれか１項に記載の頭部装着型ディスプレイにおける光学的位置調整方法。
【請求項１２】
画像形成装置への画像信号に加え、光学装置において表示すべき画像の輝度信号が、外部から頭部装着型ディスプレイに送出される請求項４、請求項６、請求項７、請求項８及び請求項１０のいずれか１項に記載の頭部装着型ディスプレイにおける光学的位置調整方法。
【請求項１３】
２つの光学装置によって形成される虚像の位置、あるいは、２つの光学装置によって形成される虚像の２つの光学装置からの距離を、経時的に変化させる請求項４、請求項５、請求項７、請求項８及び請求項９のいずれか１項に記載の頭部装着型ディスプレイにおける光学的位置調整方法。
【請求項１４】
２つの画像の相互の位置の調整は、前記少なくとも一方の画像表示装置を構成する光学装置において表示される画像の左右への移動、上下への移動、及び、回転移動の任意の組合せである請求項４乃至請求項１３のいずれか１項に記載の頭部装着型ディスプレイにおける光学的位置調整方法。
【請求項１５】
光学装置は半透過型である請求項４乃至請求項１４のいずれか１項に記載の頭部装着型ディスプレイにおける光学的位置調整方法。
【請求項１６】
頭部装着型ディスプレイから観察対象物までの距離を測定する距離測定装置を更に備えており、距離測定装置によって距離情報を得る請求項４乃至請求項１５のいずれか１項に記載の頭部装着型ディスプレイにおける光学的位置調整方法。
【請求項１７】
受光センサーを更に備えており、受光センサーによって得られた環境の輝度情報に基づき、光学装置において表示すべき画像の輝度を制御する請求項４乃至請求項１６のいずれか１項に記載の頭部装着型ディスプレイにおける光学的位置調整方法。
【請求項１８】
頭部装着型ディスプレイから観察対象物までの距離に基づき、少なくとも一方の画像表示装置を構成する画像形成装置への画像信号を更に制御するときの該画像信号によって光学装置において表示される画像は文字から構成されている請求項４乃至請求項１７のいずれか１項に記載の頭部装着型ディスプレイにおける光学的位置調整方法。
【発明の詳細な説明】
【技術分野】
【０００１】
本発明は、頭部装着型ディスプレイ（ＨＭＤ，Head Mounted Display）における光学的位置調整方法に関する。
【背景技術】
【０００２】
画像形成装置によって形成された２次元画像を虚像光学系により拡大虚像として観察者に観察させるための虚像表示装置（画像表示装置）が、例えば、特開２００６−１６２７６７から周知である。
【０００３】
概念図を図１に示すように、この画像表示装置１００は、２次元マトリクス状に配列された複数の画素を備えた画像形成装置１１１、画像形成装置１１１の画素から出射された光を平行光とするコリメート光学系１１２、及び、コリメート光学系１１２にて平行光とされた光が入射され、導光され、出射される光学装置（導光手段）１２０を備えている。光学装置１２０は、入射された光が内部を全反射により伝播した後、出射される導光板１２１、導光板１２１に入射された光が導光板１２１の内部で全反射されるように、導光板１２１に入射された光を反射させる第１偏向手段１３０（例えば、１層の光反射膜から成る）、及び、導光板１２１の内部を全反射により伝播した光を導光板１２１から出射させる第２偏向手段１４０（例えば、多層積層構造を有する光反射多層膜から成る）から構成されている。そして、このような画像表示装置１００によって、例えば、ＨＭＤを構成すれば、装置の軽量化、小型化を図ることができる。
【０００４】
あるいは又、画像形成装置によって形成された２次元画像を虚像光学系により拡大虚像として観察者に観察させるために、ホログラム回折格子を用いた虚像表示装置（画像表示装置）が、例えば、特開２００７−９４１７５から周知である。
【０００５】
概念図を図１２に示すように、この画像表示装置３００は、基本的には、画像を表示する画像形成装置１１１と、コリメート光学系１１２と、画像形成装置１１１に表示された光が入射され、観察者の瞳４１へと導く光学装置（導光手段）３２０とを備えている。ここで、光学装置３２０は、導光板３２１と、導光板３２１に設けられた反射型体積ホログラム回折格子から成る第１回折格子部材３３０及び第２回折格子部材３４０を備えている。そして、コリメート光学系１１２には画像形成装置１１１の各画素から出射された光が入射され、コリメート光学系１１２によって平行光が生成され、導光板３２１に入射される。導光板３２１の第１面３２２から、平行光が入射され、出射される。一方、導光板３２１の第１面３２２と平行である導光板３２１の第２面３２３に、第１回折格子部材３３０及び第２回折格子部材３４０が取り付けられている。
【０００６】
また、立体視できるように映像を表示手段の表示面に表示する立体視ディスプレイ装置が、特開平０８−３２２００４や特開平０８−２１１３３２から周知である。特開平０８−３２２００４に開示された立体視ディスプレイ装置は、視度に対する輻輳角が実時間で略一致するように、電気的に表示面上に表示する映像を水平方向にシフトする手段を備えている。また、特開平０８−２１１３３２に開示された立体映像再生装置は、両眼視差を利用して立体映像を得るものであり、再生映像を見るときの輻輳角を設定するために輻輳角選択手段と、選択された輻輳角に関する情報に基づいて左右の映像の相対的再生位置を制御する制御手段とを具備している。
【先行技術文献】
【特許文献】
【０００７】
【特許文献１】特開２００６−１６２７６７
【特許文献２】特開２００７−９４１７５
【特許文献３】特開平０８−３２２００４
【特許文献４】特開平０８−２１１３３２
【発明の概要】
【発明が解決しようとする課題】
【０００８】
ところで、図２１に示す状態のように観察者がフレーム１０１０を頻繁に装着を繰り返すと、例えば、テンプル部１０１３が矢印Ａの方向に広がる場合がある。そして、これに伴い、フレーム１０１０のフロント部１０１１が矢印Ｂの方向に変形する。このような現象が生じると、光学装置１２０，３２０から出射される光によって生成される画像（虚像）の空間的な位置（虚像位置）に変化が生じる。
【０００９】
特に、両眼視タイプの頭部装着型ディスプレイの場合、このような現象が生じると、左右の画像の輻輳角が変化してしまう。その結果、予め調整された虚像までの空間的な距離に不整合が発生し、観察時、観察者に疲労が生じる。即ち、図２１の（Ｂ）において、予め調整された左右の虚像の画面中心が交わる空間的な位置を「Ｃ」とすると、フレーム１０１０のフロント部１０１１の変形に伴い、左右の虚像の画面中心が交わる空間的な位置が「Ｄ」へと移動してしまい、結果的に輻輳角が増加してしまう。尚、このような輻輳角の変化は、その他、両眼視タイプの頭部装着型ディスプレイに衝撃が加わったり、経年的にも生じ得る。
【００１０】
また、両眼視タイプの頭部装着型ディスプレイの製造時、右眼用及び左眼用の２つの画像表示装置１００，３００の光学的調整、即ち、所望の画像が得られるように２つの画像表示装置１００，３００の相対的な位置調整を行う必要があるが、係る調整は、屡々、困難を伴う。
【００１１】
特開平０８−３２２００４や特開平０８−２１１３３２には、このような両眼視タイプの頭部装着型ディスプレイにおいて種々の原因によって２つの画像表示装置１００，３００の相対的な位置が変化したときに位置を調整する具体的な方法、あるいは又、両眼視タイプの頭部装着型ディスプレイの組立時に２つの画像表示装置１００，３００の相対的な位置を調整する具体的な方法については、何ら、開示されていない。
【００１２】
従って、本発明の目的は、両眼視タイプの頭部装着型ディスプレイにおいて種々の原因によって２つの画像表示装置の相対的な位置が変化したとき、あるいは又、両眼視タイプの頭部装着型ディスプレイの組立時、２つの画像表示装置に表示される２つの画像の相対的な位置を容易に調整し得る方法を提供することにある。
【課題を解決するための手段】
【００１３】
上記の目的を達成するための本発明の第１の態様〜第４の態様に係る頭部装着型ディスプレイにおける光学的位置調整方法は、
（イ）観察者の頭部に装着される眼鏡型のフレーム、並びに、
（ロ）フレームに取り付けられた右眼用及び左眼用の２つの画像表示装置、
を備えた頭部装着型ディスプレイであって、
各画像表示装置は、
（Ａ）画像形成装置、並びに、
（Ｂ）画像形成装置から出射された光が入射され、導光され、出射される光学装置、
を備えた頭部装着型ディスプレイ（両眼型の頭部装着型ディスプレイ）における光学的位置調整方法である。
【００１４】
そして、本発明の第１の態様に係る頭部装着型ディスプレイにおける光学的位置調整方法（以下、『第１の態様に係る本発明の方法』と呼ぶ場合がある）にあっては、少なくとも一方の画像表示装置を構成する画像形成装置への画像信号（入力画像信号、入力画像データ）を制御することで、該少なくとも一方の画像表示装置を構成する光学装置において表示される画像の位置を制御し、以て、２つの画像の相互の位置を調整する。
【００１５】
また、本発明の第２の態様に係る頭部装着型ディスプレイにおける光学的位置調整方法（以下、『第２の態様に係る本発明の方法』と呼ぶ場合がある）にあっては、
各光学装置において表示される画像を、対応する撮像装置で撮像し、
各撮像装置によって得られた画像の位置の基準位置からのズレを求め、ズレを無くすように、少なくとも一方の画像表示装置を構成する画像形成装置への画像信号（入力画像信号、入力画像データ）を制御することで、２つの画像の相互の位置を調整する。
【００１６】
更には、本発明の第３の態様に係る頭部装着型ディスプレイにおける光学的位置調整方法（以下、『第３の態様に係る本発明の方法』と呼ぶ場合がある）にあっては、
少なくとも一方の画像表示装置を構成する画像形成装置への画像信号（入力画像信号、入力画像データ）を制御することで、該少なくとも一方の画像表示装置を構成する光学装置において表示される画像の位置を制御し、以て、２つの画像の相互の位置を調整し、
頭部装着型ディスプレイから観察対象物までの距離に基づき、少なくとも一方の画像表示装置を構成する画像形成装置への画像信号（入力画像信号、入力画像データ）を更に制御することで、頭部装着型ディスプレイから観察対象物までの距離に対応した輻輳角の調整を行う。
【００１７】
更には、本発明の第４の態様に係る頭部装着型ディスプレイにおける光学的位置調整方法（以下、『第４の態様に係る本発明の方法』と呼ぶ場合がある）にあっては、
各光学装置において表示される画像を、対応する撮像装置で撮像し、
各撮像装置によって得られた画像の位置の基準位置からのズレを求め、ズレを無くすように、少なくとも一方の画像表示装置を構成する画像形成装置への画像信号（入力画像信号、入力画像データ）を制御することで、２つの画像の相互の位置を調整し、
頭部装着型ディスプレイから観察対象物までの距離に基づき、少なくとも一方の画像表示装置を構成する画像形成装置への画像信号（入力画像信号、入力画像データ）を更に制御することで、頭部装着型ディスプレイから観察対象物までの距離に対応した輻輳角の調整を行う。
【００１８】
尚、第１の態様あるいは第３の態様に係る本発明の方法において、２つの画像の相互の位置を調整する際に用いる画像形成装置への画像信号（入力画像信号、入力画像データ）を、便宜上、『第１画像信号』と呼ぶ。また、第２の態様あるいは第４の態様に係る本発明の方法において、各光学装置において表示される画像を対応する撮像装置で撮像するが、この際の画像を得るための画像形成装置への画像信号（入力画像信号、入力画像データ）も、『第１画像信号』である。更には、第３の態様あるいは第４の態様に係る本発明の方法において、頭部装着型ディスプレイから観察対象物までの距離に基づき、少なくとも一方の画像表示装置を構成する画像形成装置への画像信号（入力画像信号、入力画像データ）を制御する際のこの画像信号を、便宜上、『第２画像信号』と呼ぶ。第３の態様あるいは第４の態様に係る本発明の方法において、第１画像信号によって制御される一方の画像表示装置と、第２画像信号によって制御される一方の画像表示装置とは、同じ画像表示装置であってもよいし、異なる画像表示装置であってもよい。また、第１の態様〜第４の態様に係る本発明の方法においては、第１画像信号によって制御される画像表示装置は２つの画像表示装置であってもよいし、第２画像信号によって制御される画像表示装置も２つの画像表示装置であってもよい。
【発明の効果】
【００１９】
第１の態様〜第４の態様に係る本発明の方法においては、少なくとも一方の画像表示装置を構成する画像形成装置への第１画像信号を制御することで、少なくとも一方の画像表示装置を構成する光学装置において表示される画像の位置を制御し、以て、２つの画像の相互の位置を調整する。それ故、例えば、両眼視タイプの頭部装着型ディスプレイの製造時、右眼用及び左眼用の２つの画像表示装置の光学的調整、即ち、所望の画像が得られるように２つの画像表示装置の光学的な位置調整を容易に行うことができる。また、特殊な部品や機械的な調整を行う無く、２つの画像表示装置の相互の光学的な位置を調整することができるので、頭部装着型ディスプレイの製造工数、製造コストの削減、低減につながる。しかも、２つの画像表示装置相互の光学的な位置の経時的変化にも容易に対応することができるので、調整コスト、調整時間を大幅に低減、短縮することができる。即ち、頭部装着型ディスプレイの組立誤差や２つの画像表示装置相互の光学的な位置の経時的変化を電気的に吸収することができるので、以上に説明した効果を達成することができる。また、使用する場所、場面に応じて、２つの光学装置によって形成される虚像距離を即座に変化させることが可能となるし、観察者が能動的に、あるいは、受動的に、虚像距離を変化させることが可能となり、観察者に快適な位置での虚像の観察を提供することが可能となる。更には、画像表示装置によって頭部装着型ディスプレイを構成するので、装置の軽量化、小型化を図ることができ、装置装着時の不快感を大幅に軽減させることが可能となる。
【図面の簡単な説明】
【００２０】
【図１】図１は、実施例１の頭部装着型ディスプレイにおける画像表示装置の概念図である。
【図２】図２は、実施例１の頭部装着型ディスプレイにおいて、画像表示装置を構成する導光板における光の伝播を模式的に示す図である。
【図３】図３は、実施例１の頭部装着型ディスプレイを上方から眺めた模式図である。
【図４】図４は、実施例１の頭部装着型ディスプレイを横から眺めた模式図である。
【図５】図５は、実施例１の頭部装着型ディスプレイを正面から眺めた模式図である。
【図６】図６は、実施例１の頭部装着型ディスプレイを観察者の頭部に装着した状態を上方から眺めた図（但し、画像表示装置のみを示し、フレームの図示は省略）である。
【図７】図７は、実施例１の頭部装着型ディスプレイを使用している状態の概念図である。
【図８】図８は、実施例１の頭部装着型ディスプレイを使用している状態の概念図である。
【図９】図９の（Ａ）、（Ｂ）及び（Ｃ）は、左眼用及び右眼用の画像表示装置によって表示される画像がずれている状態を示す模式図である。
【図１０】図１０の（Ａ）並びに（Ｂ）は、それぞれ、画像形成装置への画像信号（第２画像信号）、及び、頭部装着型ディスプレイから観察対象物までの距離情報が加えられた信号のフォーマットの概念図、並びに、頭部装着型ディスプレイから観察対象物までの距離に対応した輻輳角の調整の説明のための模式図である。
【図１１】図１１は、実施例２の頭部装着型ディスプレイにおける画像表示装置の概念図である。
【図１２】図１２は、実施例３の頭部装着型ディスプレイにおける画像表示装置の概念図である。
【図１３】図１３は、実施例４の頭部装着型ディスプレイにおける画像表示装置の概念図である。
【図１４】図１４の（Ａ）及び（Ｂ）は、実施例５の頭部装着型ディスプレイにおいて、画像表示装置を構成する導光板における光の伝播を模式的に示す図、及び、導光板等の配置状態を示す概念図である。
【図１５】図１５は、実施例５における頭部装着型ディスプレイを横から眺めた模式図である。
【図１６】図１６の（Ａ）及び（Ｂ）は、実施例６の頭部装着型ディスプレイにおいて、画像表示装置を構成する導光板における光の伝播を模式的に示す図、及び、導光板等の配置状態を示す概念図である。
【図１７】図１７は、実施例７の頭部装着型ディスプレイを正面から眺めた模式図である。
【図１８】図１８は、実施例７の頭部装着型ディスプレイを上方から眺めた模式図である。
【図１９】図１９は、本発明の第３の態様に係る頭部装着型ディスプレイにおける光学的位置調整方法を説明するための、実施例８の頭部装着型ディスプレイを上方から眺めた模式図である。
【図２０】図２０は、実施例１における頭部装着型ディスプレイの一形式を横から眺めた模式図である。
【図２１】図２１は、従来の画像表示装置が眼鏡フレームに取り付けられた状態を模式的に示す図である。
【発明を実施するための形態】
【００２１】
以下、図面を参照して、実施例に基づき本発明を説明するが、本発明は実施例に限定されるものではなく、実施例における種々の数値や材料は例示である。尚、説明は、以下の順序で行う。
１．本発明の第１の態様〜第４の態様に係る頭部装着型ディスプレイにおける光学的位置調整方法、全般に関する説明
２．実施例１（本発明の第１の態様及び第３の態様に係る頭部装着型ディスプレイにおける光学的位置調整方法）
３．実施例２（実施例１の変形）
４．実施例３（実施例１の別の変形）
５．実施例４（実施例３の変形）
６．実施例５（実施例１〜実施例４の変形）
７．実施例６（実施例５の変形）
８．実施例７（実施例１の別の変形）
９．実施例８（本発明の第２の態様及び第４の態様に係る頭部装着型ディスプレイにおける光学的位置調整方法）
１０．実施例９（実施例８の変形）、その他
【００２２】
第２の態様あるいは第４の態様に係る本発明の方法において、基準位置は、２つの光学装置の前方の所定の位置に配置された被写体を撮像装置によって撮像したときに得られる、撮像装置における被写体撮像位置である形態とすることができる。
【００２３】
上記の好ましい形態を含む第１の態様〜第４の態様に係る本発明の方法において、２つの画像の相互の位置の調整は、前記少なくとも一方の画像表示装置を構成する光学装置において表示される画像の左右への移動、上下への移動、及び、回転移動の任意の組合せである形態とすることができる。画像のこれらの移動にあっては、例えば、光学装置に非表示領域を確保し、その部分を画像の移動用に割り当てればよい。
【００２４】
上記の好ましい形態を含む第１の態様〜第４の態様に係る本発明の方法においては、光学装置を半透過型（シースルー型）とすることが望ましい。具体的には、少なくとも観察者の両眼に対向する光学装置の部分を半透過（シースルー）とし、これらの光学装置の部分を通して外景を眺めることができることが望ましい。
【００２５】
以上に説明した好ましい形態を含む第３の態様あるいは第４の態様に係る本発明の方法においては、画像形成装置への画像信号（第２画像信号）に加え、頭部装着型ディスプレイから観察対象物までの距離情報が、外部から頭部装着型ディスプレイに送出される構成とすることができる。尚、無線によって、距離情報を外部から頭部装着型ディスプレイに送出すればよい。あるいは又、頭部装着型ディスプレイから観察対象物までの距離を測定する距離測定装置を頭部装着型ディスプレイは更に備えており、距離測定装置によって距離情報を得る構成とすることができる。距離測定装置として、具体的には、オートフォーカス機能付きカメラや撮像装置（例えば、観察対象物に赤外線・超音波などを照射し、その反射波が戻るまでの時間や照射角度により距離を検出するアクティブ方式の距離測定装置や、パッシブ方式の距離測定装置を有するカメラや撮像装置）、オートフォーカス機能付きカメラ用の距離測定装置（アクティブ方式の距離測定装置）を挙げることができる。あるいは又、制御装置にボタンやスイッチを設け、手動にて頭部装着型ディスプレイから観察対象物までの距離を設定してもよい。
【００２６】
更には、以上に説明した好ましい形態、構成を含む第３の態様あるいは第４の態様に係る本発明の方法において、画像形成装置への画像信号（第２画像信号）に加え、光学装置において表示すべき画像の輝度信号が、外部から頭部装着型ディスプレイに送出される構成とすることができる。尚、無線によって、輝度信号を外部から頭部装着型ディスプレイに送出すればよい。あるいは又、受光センサーを頭部装着型ディスプレイは更に備えており、受光センサーによって得られた環境（頭部装着型ディスプレイあるいは観察対象物の置かれた雰囲気）の輝度情報に基づき、光学装置において表示すべき画像の輝度を制御する構成とすることができる。受光センサーとして、具体的には、フォトダイオードや、上述したカメラや撮像装置に備えられた露出測定用の受光素子を挙げることができる。
【００２７】
更には、以上に説明した好ましい形態、構成を含む第３の態様あるいは第４の態様に係る本発明の方法にあっては、頭部装着型ディスプレイから観察対象物までの距離に基づき、少なくとも一方の画像表示装置を構成する画像形成装置への画像信号（第２画像信号）を更に制御するが、このときの第２画像信号によって光学装置において表示される画像は文字から構成されている形態とすることができる。画像としての文字を表示するための第２画像信号（『文字データ』と呼ぶ場合がある）は、デジタル化されたデータであり、作業者によって、あるいは又、コンピュータ等による処理に基づき、予め作成しておけばよい。文字データのフォーマットは、使用する頭部装着型ディスプレイやシステムに依存して、適宜、選択すればよい。
【００２８】
更には、以上に説明した好ましい形態、構成を含む第３の態様あるいは第４の態様に係る本発明の方法にあっては、２つの光学装置によって形成される虚像の位置（虚像位置）、あるいは、２つの光学装置によって形成される虚像の２つの光学装置からの距離（虚像距離）を、経時的に変化させる構成とすることができる。ここで、経時的に変化させるとは、例えば、５分乃至１０分に１回、画像の水平方向の位置を、例えば、画像形成装置における＋２画素分あるいは−１画素分、例えば、１分間乃至３分間に亙り、変化させた後、元に戻すことを意味する。
【００２９】
第３の態様あるいは第４の態様に係る本発明の方法にあっては、頭部装着型ディスプレイから観察対象物までの距離に対応した輻輳角の調整を行うが、これによって、観察対象物と観察者（観客）との間の距離と、画像表示装置によって表示される画像の虚像距離とを等しくすることができ、あるいは又、出来るだけ等しくすることができ、観察対象物を眺める観察者（観客）が、左程、焦点を変更、変化させること無く、自然に画像表示装置によって表示される画像を眺める（観察する）ことができる。云い換えれば、このような状態が達成される限り、観察対象物と観察者（観客）との間の距離と、画像表示装置によって表示される画像の虚像距離とは等しいと云える。
【００３０】
本発明において、第１画像信号として、一種のテストパターンを表示し得る画像信号（入力画像信号、入力画像データ）を挙げることができる。具体的には、例えば、水平方向に延びる線、垂直方向に延びる線、斜め方向に延びる線の組合せを例示することができる。ここで、第１画像信号の制御とは、第１画像信号に表示位置補正信号を加えることを意味する。左眼用画像表示装置及び右眼用画像表示装置によって表示される画像が、例えば、無限遠方（あるいは、所望の位置）で一致するように、第１画像信号に表示位置補正信号を加える。第１の態様あるいは第３の態様に係る本発明の方法にあっては、例えば、作業者が頭部装着型ディスプレイを装着し、左眼用画像表示装置及び右眼用画像表示装置によって表示される画像が、例えば、無限遠方（あるいは、所望の位置）で一致するように、制御装置から第１画像信号に表示位置補正信号を加える。そして、無限遠方（あるいは、所望の位置）で一致したときの表示位置補正信号を表示位置制御信号として制御装置に記憶させればよい。また、第２の態様あるいは第４の態様に係る本発明の方法にあっては、各光学装置において表示される画像を対応する撮像装置で撮像し、各撮像装置によって得られた画像の位置の基準位置からのズレを求め、ズレを無くすような表示位置補正信号を求めればよく、この表示位置補正信号を表示位置制御信号として制御装置に記憶させればよい。そして、少なくとも一方の画像表示装置を構成する光学装置において表示される画像の位置を制御し、以て、２つの画像表示装置の相互の光学的な位置を調整するが、具体的には、左眼用画像表示装置及び右眼用画像表示装置によって表示される画像が、例えば、無限遠方（あるいは、所望の位置）で一致するように、少なくとも一方の画像表示装置を構成する光学装置において表示される画像の位置を制御すればよい。尚、第１の態様〜第４の態様に係る本発明の方法において、以上に説明した操作は、例えば、頭部装着型ディスプレイの組立時に行えばよいし、あるいは又、定期的に若しくは不定期に行えばよい。そして、表示位置補正信号から得られた表示位置制御信号が制御装置（制御回路）に記憶され、制御装置において第２画像信号に表示位置制御信号が加えられる。制御装置は、周知の回路から構成することができる。
【００３１】
第３の態様あるいは第４の態様に係る本発明の方法において、頭部装着型ディスプレイから観察対象物までの距離に基づき、少なくとも一方の画像表示装置を構成する画像形成装置への第２画像信号を更に制御するが、係る制御は、具体的には、制御装置において、距離情報に基づく輻輳角制御信号と、表示位置制御信号とを、第２画像信号に加える操作とすればよい。この操作は、例えば、観察対象物の観察時、適宜、行えばよく、観察者が行ってもよいし、上述したとおり、頭部装着型ディスプレイから観察対象物までの距離情報が外部から頭部装着型ディスプレイに送出される構成としてもよいし、距離測定装置によって距離情報を得る構成とすることもできる。あるいは又、制御装置にボタンやスイッチを設け、手動にて頭部装着型ディスプレイから観察対象物までの距離を設定してもよい。
【００３２】
第３の態様あるいは第４の態様に係る本発明の方法において、第２画像信号は、無線によって頭部装着型ディスプレイに送られてくる形態とすることができる。第２画像信号は、例えば、制御装置（制御回路）にて受け取られ、画像表示のための処理が制御装置においてなされる。
【００３３】
以上に説明した好ましい各種の形態、構成を含む第１の態様〜第４の態様に係る本発明の方法（以下、これらを総称して、単に『本発明の方法』と呼ぶ場合がある）における頭部装着型ディスプレイを構成する画像表示装置（以下、単に、『本発明における画像表示装置』と呼ぶ）において、光学装置は、
（ａ）入射された光が内部を全反射により伝播した後、出射される導光板、
（ｂ）導光板に入射された光が導光板の内部で全反射されるように、導光板に入射された光を偏向させる第１偏向手段、及び、
（ｃ）導光板の内部を全反射により伝播した光を導光板から出射させるために、導光板の内部を全反射により伝播した光を複数回に亙り偏向させる第２偏向手段、
を備えている構成とすることができる。尚、「全反射」という用語は、内部全反射、あるいは、導光板内部における全反射を意味する。以下においても同様である。また、第１偏向手段の中心点が、光学装置中心点に相当する。
【００３４】
尚、画像形成装置の中心から出射され、光学系の画像形成装置側節点を通過した中心光線が光学装置に入射する点を光学装置中心点とし、光学装置中心点を通過し、光学装置の軸線方向と平行な軸線をＸ軸、光学装置中心点を通過し、光学装置の法線と一致する軸線をＹ軸とする。ここで、光学系は、画像形成装置と光学装置との間に配置され、画像形成装置から出射された光を平行光とする。そして、光学系にて平行光とされた光束が、光学装置に入射され、導光され、出射される。
【００３５】
本発明における画像表示装置においては、限定するものではないが、中心光線は、ＸＹ平面と０度以外の角度（θ）で交わる構成とすることができ、これによって、画像表示装置を眼鏡型のフレームの取付部に取り付けるときの画像表示装置の取付け角度に対する制限が少なくなり、高いデザイン自由度を得ることができる。そして、この場合、中心光線はＹＺ平面に含まれる形態とすることが、画像表示装置の取り扱いや設定、取付けの容易さといった観点から、好ましい。また、光学系の光軸は、ＹＺ平面に含まれ、且つ、ＸＹ平面と０度以外の角度で交わる構成とすることができ、あるいは又、光学系の光軸は、ＹＺ平面と平行であり、且つ、ＸＹ平面と平行であり、且つ、画像形成装置の中心から外れた位置を通過する構成とすることができる。また、ＸＹ平面が水平面と一致すると仮定したとき、中心光線がＸＹ平面と交わる角度θは仰角である構成とすることができる。即ち、ＸＹ平面の下側から中心光線がＸＹ平面に向い、ＸＹ平面と衝突する構成とすることができる。そして、この場合、ＸＹ平面は垂直面と０度以外の角度で交わることが好ましく、更には、ＸＹ平面は垂直面と角度θ’で交わることが好ましい。尚、θ’の最大値として、限定するものではないが、５度を挙げることができる。ここで、水平面とは、観察者が、水平方向に位置する対象物（例えば、水平方向、無限遠方の対象物、地平線や水平線）を眺めたときの視線（『観察者の水平方向視線』）が含まれ、且つ、水平に位置する観察者の２つの瞳が含まれる平面である。また、垂直面は、この水平面に対して垂直な平面である。あるいは又、観察者が、水平方向に位置する対象物（例えば、水平方向、無限遠方の対象物、地平線や水平線）を眺めたとき、光学装置から出射され、観察者の瞳に入射する中心光線は俯角をなす形態とすることができる。水平面に対する係る俯角として、例えば、５度乃至４５度を例示することができる。
【００３６】
ここで、第１偏向手段は、導光板に入射された光を反射し、第２偏向手段は、導光板の内部を全反射により伝播した光を、複数回に亙り、透過、反射する構成とすることができる。そして、この場合、第１偏向手段は反射鏡として機能し、第２偏向手段は半透過鏡として機能する構成とすることができる。
【００３７】
このような構成において、第１偏向手段は、例えば、合金を含む金属から構成され、導光板に入射された光を反射させる光反射膜（一種のミラー）や、導光板に入射された光を回折させる回折格子（例えば、ホログラム回折格子膜）から構成することができる。また、第２偏向手段は、誘電体積層膜が多数積層された多層積層構造体や、ハーフミラー、偏光ビームスプリッター、ホログラム回折格子膜から構成することができる。そして、第１偏向手段や第２偏向手段は、導光板の内部に配設されている（導光板の内部に組み込まれている）が、第１偏向手段においては、導光板に入射された平行光が導光板の内部で全反射されるように、導光板に入射された平行光が反射又は回折される。一方、第２偏向手段においては、導光板の内部を全反射により伝播した平行光が複数回に亙り反射又は回折され、導光板から平行光の状態で出射される。
【００３８】
あるいは又、第１偏向手段は、導光板に入射された光を回折し、第２偏向手段は、導光板の内部を全反射により伝播した光を、複数回に亙り、回折する構成とすることができる。そして、この場合、第１偏向手段及び第２偏向手段は回折格子素子から成る形態とすることができ、更には、回折格子素子は、反射型回折格子素子から成り、あるいは又、透過型回折格子素子から成り、あるいは又、一方の回折格子素子は反射型回折格子素子から成り、他方の回折格子素子は透過型回折格子素子から成る構成とすることができる。尚、反射型回折格子素子として、反射型体積ホログラム回折格子を挙げることができる。反射型体積ホログラム回折格子から成る第１偏向手段を、便宜上、『第１回折格子部材』と呼び、反射型体積ホログラム回折格子から成る第２偏向手段を、便宜上、『第２回折格子部材』と呼ぶ場合がある。
【００３９】
本発明における画像表示装置によって、単色（例えば、緑色）の画像表示を行うことができるが、カラーの画像表示を行う場合、第１回折格子部材あるいは第２回折格子部材を、異なるＰ種類（例えば、Ｐ＝３であり、赤色、緑色、青色の３種類）の波長帯域（あるいは、波長）を有するＰ種類の光の回折反射に対応させるために、反射型体積ホログラム回折格子から成るＰ層の回折格子層が積層されて成る構成とすることができる。各回折格子層には１種類の波長帯域（あるいは、波長）に対応する干渉縞が形成されている。あるいは又、異なるＰ種類の波長帯域（あるいは、波長）を有するＰ種類の光の回折反射に対応するために、１層の回折格子層から成る第１回折格子部材あるいは第２回折格子部材にＰ種類の干渉縞が形成されている構成とすることもできる。あるいは又、画角を例えば三等分して、第１回折格子部材あるいは第２回折格子部材を、各画角に対応する回折格子層が積層されて成る構成とすることができる。そして、これらの構成を採用することで、各波長帯域（あるいは、波長）を有する光が第１回折格子部材あるいは第２回折格子部材において回折反射されるときの回折効率の増加、回折受容角の増加、回折角の最適化を図ることができる。
【００４０】
第１回折格子部材及び第２回折格子部材を構成する材料として、フォトポリマー材料を挙げることができる。反射型体積ホログラム回折格子から成る第１回折格子部材及び第２回折格子部材の構成材料や基本的な構造は、従来の反射型体積ホログラム回折格子の構成材料や構造と同じとすればよい。反射型体積ホログラム回折格子とは、＋１次の回折光のみを回折反射するホログラム回折格子を意味する。回折格子部材には、その内部から表面に亙り干渉縞が形成されているが、係る干渉縞それ自体の形成方法は、従来の形成方法と同じとすればよい。具体的には、例えば、回折格子部材を構成する部材（例えば、フォトポリマー材料）に対して一方の側の第１の所定の方向から物体光を照射し、同時に、回折格子部材を構成する部材に対して他方の側の第２の所定の方向から参照光を照射し、物体光と参照光とによって形成される干渉縞を回折格子部材を構成する部材の内部に記録すればよい。第１の所定の方向、第２の所定の方向、物体光及び参照光の波長を適切に選択することで、回折格子部材の表面における干渉縞の所望のピッチ、干渉縞の所望の傾斜角（スラント角）を得ることができる。干渉縞の傾斜角とは、回折格子部材（あるいは回折格子層）の表面と干渉縞の成す角度を意味する。第１回折格子部材及び第２回折格子部材を、反射型体積ホログラム回折格子から成るＰ層の回折格子層の積層構造から構成する場合、このような回折格子層の積層は、Ｐ層の回折格子層をそれぞれ別個に作製した後、Ｐ層の回折格子層を、例えば、紫外線硬化型接着剤を使用して積層（接着）すればよい。また、粘着性を有するフォトポリマー材料を用いて１層の回折格子層を作製した後、その上に順次粘着性を有するフォトポリマー材料を貼り付けて回折格子層を作製することで、Ｐ層の回折格子層を作製してもよい。
【００４１】
あるいは又、本発明における画像表示装置において、光学装置は、画像形成装置から出射された光が入射され、観察者の瞳に向かって出射される半透過ミラーから構成されている形態とすることができる。尚、画像形成装置から出射された光は、空気中を伝播して半透過ミラーに入射する構造としてもよいし、例えば、ガラス板やプラスチック板等の透明な部材（具体的には、後述する導光板を構成する材料と同様の材料から成る部材）の内部を伝播して半透過ミラーに入射する構造としてもよい。尚、半透過ミラーを、この透明な部材を介して画像形成装置に取り付けてもよいし、半透過ミラーを、この透明な部材とは別の部材を介して画像形成装置に取り付けてもよい。
【００４２】
以上に説明した各種の好ましい形態、構成を含む本発明における画像表示装置において、画像形成装置は、２次元マトリクス状に配列された複数の画素を有する形態とすることができる。尚、このような画像形成装置の構成を、便宜上、『第１の構成の画像形成装置』と呼ぶ。
【００４３】
第１の構成の画像形成装置として、例えば、反射型空間光変調装置及び光源から構成された画像形成装置；透過型空間光変調装置及び光源から構成された画像形成装置；有機ＥＬ（Electro Luminescence）、無機ＥＬ、発光ダイオード（ＬＥＤ）等の発光素子から構成された画像形成装置を挙げることができるが、中でも、反射型空間光変調装置及び光源から構成された画像形成装置とすることが好ましい。空間光変調装置として、ライト・バルブ、例えば、ＬＣＯＳ（Liquid Crystal On Silicon）等の透過型あるいは反射型の液晶表示装置、デジタルマイクロミラーデバイス（ＤＭＤ）を挙げることができ、光源として発光素子を挙げることができる。更には、反射型空間光変調装置は、液晶表示装置、及び、光源からの光の一部を反射して液晶表示装置へと導き、且つ、液晶表示装置によって反射された光の一部を通過させて光学系へと導く偏光ビームスプリッターから成る構成とすることができる。光源を構成する発光素子として、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。画素の数は、画像表示装置に要求される仕様に基づき決定すればよく、画素の数の具体的な値として、３２０×２４０、４３２×２４０、６４０×４８０、１０２４×７６８、１９２０×１０８０等を例示することができる。
【００４４】
あるいは又、以上に説明した好ましい形態、構成を含む本発明における画像表示装置において、画像形成装置は、光源、及び、光源から出射された平行光を走査する走査手段を備えた形態とすることができる。尚、このような画像形成装置の構成を、便宜上、『第２の構成の画像形成装置』と呼ぶ。
【００４５】
第２の構成の画像形成装置における光源として発光素子を挙げることができ、具体的には、赤色発光素子、緑色発光素子、青色発光素子、白色発光素子を挙げることができるし、あるいは又、赤色発光素子、緑色発光素子及び青色発光素子から出射された赤色光、緑色光及び青色光をライトパイプを用いて混色、輝度均一化を行うことで白色光を得てもよい。発光素子として、例えば、半導体レーザ素子や固体レーザ、ＬＥＤを例示することができる。第２の構成の画像形成装置における画素（仮想の画素）の数も、画像表示装置に要求される仕様に基づき決定すればよく、画素（仮想の画素）の数の具体的な値として、３２０×２４０、４３２×２４０、６４０×４８０、１０２４×７６８、１９２０×１０８０等を例示することができる。また、カラーの画像表示を行う場合であって、光源を赤色発光素子、緑色発光素子、青色発光素子から構成する場合、例えば、クロスプリズムを用いて色合成を行うことが好ましい。走査手段として、光源から出射された光を水平走査及び垂直走査する、例えば、二次元方向に回転可能なマイクロミラーを有するＭＥＭＳ（Micro Electro Mechanical Systems）やガルバノ・ミラーを挙げることができる。
【００４６】
第１の構成の画像形成装置あるいは第２の構成の画像形成装置において、光学系（出射光を平行光とする光学系であり、『平行光出射光学系』と呼ぶ場合があり、具体的には、例えば、コリメート光学系やリレー光学系）にて複数の平行光とされた光を導光板に入射させるが、このような、平行光であることの要請は、これらの光が導光板へ入射したときの光波面情報が、第１偏向手段と第２偏向手段を介して導光板から出射された後も保存される必要があることに基づく。尚、複数の平行光を生成させるためには、具体的には、例えば、平行光出射光学系における焦点距離の所（位置）に、例えば、画像形成装置の光出射部を位置させればよい。平行光出射光学系は、画素の位置情報を光学装置の光学系における角度情報に変換する機能を有する。平行光出射光学系として、凸レンズ、凹レンズ、自由曲面プリズム、ホログラムレンズを、単独、若しくは、組み合わせた、全体として正の光学的パワーを持つ光学系を例示することができる。平行光出射光学系と導光板との間には、平行光出射光学系から不所望の光が出射されて導光板に入射しないように、開口部を有する遮光部材を配置してもよい。
【００４７】
導光板は、導光板の軸線（Ｘ軸）と平行に延びる２つの平行面（第１面及び第２面）を有している。光が入射する導光板の面を導光板入射面、光が出射する導光板の面を導光板出射面としたとき、第１面によって導光板入射面及び導光板出射面が構成されていてもよいし、第１面によって導光板入射面が構成され、第２面によって導光板出射面が構成されていてもよい。導光板を構成する材料として、石英ガラスやＢＫ７等の光学ガラスを含むガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。導光板の形状は、平板に限定するものではなく、湾曲した形状を有していてもよい。
【００４８】
本発明において、フレームは、観察者の正面に配置されるフロント部と、フロント部の両端に蝶番を介して回動自在に取り付けられた２つのテンプル部とから成る構成とすることができる。尚、各テンプル部の先端部にはモダン部が取り付けられている。画像表示装置はフレームに取り付けられているが、具体的には、例えば、画像形成装置をテンプル部に取り付ければよい。
【００４９】
更には、本発明において、ノーズパッドが取り付けられている構成とすることができる。即ち、本発明における頭部装着型ディスプレイの全体を眺めたとき、フレーム及びノーズパッドの組立体は、通常の眼鏡と略同じ構造を有する。尚、リム部は、有っても、無くともよい。フレームを構成する材料は、金属や合金、プラスチック、これらの組合せといった、通常の眼鏡を構成する材料と同じ材料から構成することができる。ノーズパッドも周知の構成、構造とすることができる。
【００５０】
前述したとおり、フロント部の中央部分に撮像装置が取り付けられている形態とすることができる。撮像装置は、具体的には、例えば、ＣＣＤあるいはＣＭＯＳセンサーから成る固体撮像素子とレンズから構成されている。撮像装置からの配線は、例えば、フロント部を介して、一方の画像表示装置（あるいは画像形成装置）に接続すればよく、更には、画像表示装置（あるいは画像形成装置）から延びる配線に含ませればよい。
【００５１】
本発明における頭部装着型ディスプレイにあっては、デザイン上、あるいは、装着の容易性といった観点から、２つの画像形成装置からの配線（信号線や電源線等）が、テンプル部、及び、モダン部の内部を介して、モダン部の先端部から外部に延び、制御装置（制御回路）に接続されている形態とすることが望ましい。更には、各画像形成装置はヘッドホン部を備えており、各画像形成装置からのヘッドホン部用配線が、テンプル部、及び、モダン部の内部を介して、モダン部の先端部からヘッドホン部へと延びている形態とすることもできる。ヘッドホン部として、例えば、インナーイヤー型のヘッドホン部、カナル型のヘッドホン部を挙げることができる。ヘッドホン部用配線は、より具体的には、モダン部の先端部から、耳介（耳殻）の後ろ側を回り込むようにしてヘッドホン部へと延びている形態とすることが好ましい。
【００５２】
本発明における頭部装着型ディスプレイは、例えば、映画等の字幕の表示；映像に同期した映像に関する説明文やクローズド・キャプションの表示；芝居や歌舞伎、能、狂言、オペラ、音楽会、バレー、各種演劇、遊園地（アミューズメントパーク）、美術館、観光地、行楽地、観光案内等における観察対象物に関する各種説明、その内容や進行状況、背景等を説明するための説明文等の表示；各種装置等の観察対象物の運転、操作、保守、分解時等における各種説明や、記号、符号、印、標章、図案等の表示；人物や物品等の観察対象物に関する各種説明や、記号、符号、印、標章、図案等の表示；クローズド・キャプションの表示に用いることができる。芝居や歌舞伎、能、狂言、オペラ、音楽会、バレー、各種演劇、遊園地（アミューズメントパーク）、美術館、観光地、行楽地、観光案内等にあっては、適切なタイミングで観察対象物に関連した画像としての文字を画像表示装置において表示すればよい。具体的には、例えば、映画等の進行状況に応じて、あるいは又、芝居等の進行状況に応じて、所定のスケジュール、時間配分に基づき、作業者の操作によって、あるいは、コンピュータ等の制御下、第２画像信号が画像表示装置に送出され、画像（文字）が画像表示装置にて表示される。また、各種装置、人物や物品等の観察対象物に関する各種説明の表示を行う場合、頭部装着型ディスプレイに撮像装置を配設し、撮像装置によって各種装置、人物や物品等の観察対象物を撮影し、画像表示装置において撮影内容を解析することで、予め作成しておいた各種装置、人物や物品等の観察対象物に関する各種説明の表示を画像表示装置にて行うことができる。あるいは又、本発明における頭部装着型ディスプレイは、立体視ディスプレイ装置として用いることもできる。
【００５３】
そして、画像形成装置への第２画像信号には、文字データだけでなく、例えば、表示すべき文字に関する輝度データ、又は、色度データ、又は、輝度データ及び色度データを含めることができる。輝度データは、光学装置を通して眺めた観察対象物を含む所定の領域の輝度に対応した輝度データとすることができるし、色度データは、光学装置を通して眺めた観察対象物を含む所定の領域の色度に対応した色度データとすることができる。このように、文字に関する輝度データを含めることで、表示される文字の輝度（明るさ）の制御を行うことができるし、文字に関する色度データを含めることで、表示される文字の色度（色）の制御を行うことができるし、文字に関する輝度データ及び色度データを含めることで、表示される文字の輝度（明るさ）及び色度（色）の制御を行うことができる。画像表示装置を通して眺めた観察対象物を含む所定の領域の輝度に対応した輝度データとする場合、画像表示装置を通して眺めた観察対象物を含む所定の領域の輝度の値が高くなるほど、画像の輝度の値が高くなるように（即ち、画像がより明るく表示されるように）、輝度データの値を設定すればよい。また、画像表示装置を通して眺めた観察対象物を含む所定の領域の色度に対応した色度データとする場合、画像表示装置を通して眺めた観察対象物を含む所定の領域の色度と、表示すべき画像の色度とが、おおよそ補色関係となるように色度データの値を設定すればよい。補色とは、色相環（color circle）で正反対に位置する関係の色の組み合わせ指す。赤に対しての緑、黄に対しての紫、青に対しての橙など、相補的な色のことでもある。或る色に別の色を適宜割合で混合して、光の場合は白、物体の場合は黒というように、彩度低下を引き起こす色についても云うが、並列した際の視覚的効果の相補性と混合した際の相補性は異なる。余色、対照色、反対色ともいう。但し、反対色は補色が相対する色を直接に指示するのに対し、補色の指示する範囲はやや広い。補色同士の色の組み合わせは互いの色を引き立て合う相乗効果があり、これは補色調和といわれる。
【実施例１】
【００５４】
実施例１は、本発明の第１の態様及び第２の態様に係る頭部装着型ディスプレイにおける光学的位置調整方法に関する。実施例１の頭部装着型ディスプレイにおける画像表示装置の概念図を図１に示す。また、実施例１の頭部装着型ディスプレイにおいて、画像表示装置を構成する導光板における光の伝播を模式的に図２に示し、頭部装着型ディスプレイを上方から眺めた模式図を図３に示し、横から眺めた模式図を図４に示す。更には、実施例１の頭部装着型ディスプレイを正面から眺めた模式図を図５に示し、実施例１の頭部装着型ディスプレイを観察者の頭部に装着した状態を上方から眺めた図（但し、画像表示装置のみを示し、フレームの図示は省略）を図６に示し、実施例１の頭部装着型ディスプレイを使用している状態の概念図を図７及び図８に示す。
【００５５】
実施例１あるいは後述する実施例２〜実施例８の頭部装着型ディスプレイは、
（イ）観察者の頭部に装着される眼鏡型のフレーム１０、並びに、
（ロ）フレーム１０に取り付けられた右眼用及び左眼用の２つの画像表示装置１００，２００，３００，４００，５００、
を備えている。そして、各画像表示装置１００，２００，３００，４００，５００は、
（Ａ）画像形成装置１１１，２１１、並びに、
（Ｂ）画像形成装置１１１，２１１から出射された光が入射され、導光され、出射される光学装置（導光手段）１２０，３２０，５２０、
を備えている。尚、各画像表示装置１００，２００，３００，４００，５００は、更に、
（Ｃ）画像形成装置１１１，２１１から出射された光を平行光とする光学系（平行光出射光学系）１１２，２５４、
を備えている。ここで、光学系１１２，２５４は、画像形成装置１１１，２１１と光学装置１２０，３２０，５２０との間に配置されている。そして、光学系１１２，２５４にて平行光とされた光束が、光学装置１２０，３２０，５２０に入射され、導光され、出射される。画像形成装置１１１，２１１は、単色（例えば、緑色）の画像を表示する。また、光学装置１２０，３２０，５２０は半透過型（シースルー型）である。具体的には、少なくとも観察者の両眼に対向する光学装置の部分（より具体的には、後述する導光板１２１，３２１及び第２偏向手段１４０，３４０）は、半透過（シースルー）である。
【００５６】
尚、実施例１あるいは後述する実施例２〜実施例８において、画像形成装置１１１，２１１の中心から出射され、光学系１１２，２５４の画像形成装置側節点を通過した中心光線ＣＬが光学装置１２０，３２０，５２０に入射する点を光学装置中心点Ｏとし、光学装置中心点Ｏを通過し、光学装置１２０，３２０，５２０の軸線方向と平行な軸線をＸ軸、光学装置中心点Ｏを通過し、光学装置１２０，３２０，５２０の法線と一致する軸線をＹ軸とする。尚、次に述べる第１偏向手段１３０，３３０の中心点が、光学装置中心点Ｏである。
【００５７】
そして、実施例１あるいは後述する実施例２〜実施例６の光学装置１２０，３２０は、
（ａ）入射された光が内部を全反射により伝播した後、出射される導光板１２１，３２１、
（ｂ）導光板１２１，３２１に入射された光が導光板１２１，３２１の内部で全反射されるように、導光板１２１，３２１に入射された光を偏向させる第１偏向手段１３０，３３０、及び、
（ｃ）導光板１２１，３２１の内部を全反射により伝播した光を導光板１２１，３２１から出射させるために、導光板１２１，３２１の内部を全反射により伝播した光を複数回に亙り偏向させる第２偏向手段１４０，３４０、
を備えている。
【００５８】
ここで、実施例１において、第１偏向手段１３０及び第２偏向手段１４０は導光板１２１の内部に配設されている。そして、第１偏向手段１３０は、導光板１２１に入射された光を反射し、第２偏向手段１４０は、導光板１２１の内部を全反射により伝播した光を、複数回に亙り、透過、反射する。即ち、第１偏向手段１３０は反射鏡として機能し、第２偏向手段１４０は半透過鏡として機能する。より具体的には、導光板１２１の内部に設けられた第１偏向手段１３０は、アルミニウム（Ａｌ）から成り、導光板１２１に入射された光を反射させる光反射膜（一種のミラー）から構成されている。一方、導光板１２１の内部に設けられた第２偏向手段１４０は、誘電体積層膜が多数積層された多層積層構造体から構成されている。誘電体積層膜は、例えば、高誘電率材料としてのＴｉＯ2膜、及び、低誘電率材料としてのＳｉＯ2膜から構成されている。誘電体積層膜が多数積層された多層積層構造体に関しては、特表２００５−５２１０９９に開示されている。図面においては６層の誘電体積層膜を図示しているが、これに限定するものではない。誘電体積層膜と誘電体積層膜との間には、導光板１２１を構成する材料と同じ材料から成る薄片が挟まれている。尚、第１偏向手段１３０においては、導光板１２１に入射された平行光が導光板１２１の内部で全反射されるように、導光板１２１に入射された平行光が反射（又は回折）される。一方、第２偏向手段１４０においては、導光板１２１の内部を全反射により伝播した平行光が複数回に亙り反射（又は回折）され、導光板１２１から平行光の状態で、観察者の瞳４１に向かって出射される。
【００５９】
第１偏向手段１３０は、導光板１２１の第１偏向手段１３０を設ける部分１２４を切り出すことで、導光板１２１に第１偏向手段１３０を形成すべき斜面を設け、係る斜面に光反射膜を真空蒸着した後、導光板１２１の切り出した部分１２４を第１偏向手段１３０に接着すればよい。また、第２偏向手段１４０は、導光板１２１を構成する材料と同じ材料（例えば、ガラス）と誘電体積層膜（例えば、真空蒸着法にて成膜することができる）とが多数積層された多層積層構造体を作製し、導光板１２１の第２偏向手段１４０を設ける部分１２５を切り出して斜面を形成し、係る斜面に多層積層構造体を接着し、研磨等を行って、外形を整えればよい。こうして、導光板１２１の内部に第１偏向手段１３０及び第２偏向手段１４０が設けられた光学装置１２０を得ることができる。
【００６０】
ここで、実施例１あるいは後述する実施例２〜実施例６において、光学ガラスやプラスチック材料から成る導光板１２１，３２１は、導光板１２１，３２１の内部全反射による光伝播方向（Ｘ軸）と平行に延びる２つの平行面（第１面１２２，３２２及び第２面１２３，３２３）を有している。第１面１２２，３２２と第２面１２３，３２３とは対向している。そして、光入射面に相当する第１面１２２，３２２から平行光が入射され、内部を全反射により伝播した後、光出射面に相当する第１面１２２，３２２から出射される。但し、これに限定するものではなく、第２面１２３，３２３によって光入射面が構成され、第１面１２２，３２２によって光出射面が構成されていてもよい。
【００６１】
実施例１あるいは後述する実施例３において、画像形成装置１１１は、第１の構成の画像形成装置であり、２次元マトリクス状に配列された複数の画素を有する。具体的には、画像形成装置１１１は、反射型空間光変調装置１５０、及び、白色光を出射する発光ダイオードから成る光源１５３から構成されている。各画像形成装置１１１全体は、筐体１１３（図１あるいは図１２では、一点鎖線で示す）内に納められており、係る筐体１１３には開口部（図示せず）が設けられており、開口部を介して光学系（平行光出射光学系，コリメート光学系）１１２から光が出射される。反射型空間光変調装置１５０は、ライト・バルブとしてのＬＣＯＳから成る液晶表示装置（ＬＣＤ）１５１、及び、光源１５３からの光の一部を反射して液晶表示装置１５１へと導き、且つ、液晶表示装置１５１によって反射された光の一部を通過させて光学系１１２へと導く偏光ビームスプリッター１５２から構成されている。液晶表示装置１５１は、２次元マトリクス状に配列された複数（例えば、６４０×４８０個）の画素（液晶セル）を備えている。偏光ビームスプリッター１５２は、周知の構成、構造を有する。光源１５３から出射された無偏光の光は、偏光ビームスプリッター１５２に衝突する。偏光ビームスプリッター１５２において、Ｐ偏光成分は通過し、系外に出射される。一方、Ｓ偏光成分は、偏光ビームスプリッター１５２において反射され、液晶表示装置１５１に入射し、液晶表示装置１５１の内部で反射され、液晶表示装置１５１から出射される。ここで、液晶表示装置１５１から出射した光の内、「白」を表示する画素から出射した光にはＰ偏光成分が多く含まれ、「黒」を表示する画素から出射した光にはＳ偏光成分が多く含まれる。従って、液晶表示装置１５１から出射され、偏光ビームスプリッター１５２に衝突する光の内、Ｐ偏光成分は、偏光ビームスプリッター１５２を通過し、光学系１１２へと導かれる。一方、Ｓ偏光成分は、偏光ビームスプリッター１５２において反射され、光源１５３に戻される。光学系１１２は、例えば、凸レンズから構成され、平行光を生成させるために、光学系１１２における焦点距離の所（位置）に画像形成装置１１１（より具体的には、液晶表示装置１５１）が配置されている。
【００６２】
フレーム１０は、観察者の正面に配置されるフロント部１１と、フロント部１１の両端に蝶番１２を介して回動自在に取り付けられた２つのテンプル部１３と、各テンプル部１３の先端部に取り付けられたモダン部（先セル、耳あて、イヤーパッドとも呼ばれる）１４から成る。また、ノーズパッド１０’が取り付けられている。即ち、フレーム１０及びノーズパッド１０’の組立体は、基本的には、通常の眼鏡と略同じ構造を有する。更には、各筐体１１３が、取付け部材１９によってテンプル部１３に取り付けられている。フレーム１０は、金属又はプラスチックから作製されている。尚、各筐体１１３は、取付け部材１９によってテンプル部１３に着脱自在に取り付けられていてもよい。また、眼鏡を所有し、装着している観察者に対しては、観察者の所有する眼鏡のフレームのテンプル部に、各筐体１１３を取付け部材１９によって着脱自在に取り付けてもよい。
【００６３】
更には、画像形成装置１１１Ａ，１１１Ｂから延びる配線（信号線や電源線等）１５が、テンプル部１３、及び、モダン部１４の内部を介して、モダン部１４の先端部から外部に延び、制御装置（制御回路、制御手段）１８に接続されている。更には、各画像形成装置１１１Ａ，１１１Ｂはヘッドホン部１６を備えており、各画像形成装置１１１Ａ，１１１Ｂから延びるヘッドホン部用配線１６’が、テンプル部１３、及び、モダン部１４の内部を介して、モダン部１４の先端部からヘッドホン部１６へと延びている。ヘッドホン部用配線１６’は、より具体的には、モダン部１４の先端部から、耳介（耳殻）の後ろ側を回り込むようにしてヘッドホン部１６へと延びている。このような構成にすることで、ヘッドホン部１６やヘッドホン部用配線１６’が乱雑に配置されているといった印象を与えることがなく、すっきりとした頭部装着型ディスプレイとすることができる。
【００６４】
また、フロント部１１の中央部分１１’には、ＣＣＤあるいはＣＭＯＳセンサーから成る固体撮像素子とレンズ（これらは図示せず）とから構成された撮像装置１７が、適切な取付部材（図示せず）によって取り付けられている。撮像装置１７からの信号は、撮像装置１７から延びる配線（図示せず）を介して、画像形成装置１１１Ａに送出される。
【００６５】
実施例１の頭部装着型ディスプレイにおける光学的位置調整方法を、以下、説明する。尚、この光学的位置調整方法は、例えば、頭部装着型ディスプレイの組立時、あるいは又、定期的に若しくは不定期に、以下の操作を行う。
【００６６】
即ち、少なくとも一方の画像表示装置（実施例１においては、右眼用及び左眼用の２つの画像表示装置１００，２００，３００，４００，５００）を構成する画像形成装置１１１Ａ，１１１Ｂへの第１画像信号（入力画像信号、入力画像データ）を制御する。具体的には、有線又は無線で、第１画像信号としての一種のテストパターンを表示し得る画像信号（入力画像信号、入力画像データ）を制御装置１８に送る。そして、制御装置１８において、第１画像信号に対して画像表示のための処理が行われ、画像形成装置１１１Ａ，１１１Ｂにおいて画像を生成する。この画像は、光学系１１２，２５４、光学装置１２０，３２０，５２０を介して、最終的に、頭部装着型ディスプレイを装着した作業者４０の両眼に到達する。テストパターンは、例えば、水平方向に延びる線、垂直方向に延びる線、斜め方向に延びる線の組合せである。
【００６７】
そして、作業者４０が、左眼用及び右眼用の画像表示装置１００，２００，３００，４００，５００によって表示される画像が、例えば、無限遠方（あるいは、所望の位置）で一致するように（重なり合うように）、制御装置１８を介して、具体的には、制御装置１８に配置されたスイッチ（図示せず）を用いて、画像を左右、上下に移動させ、また、回転移動させる。即ち、例えば、図２１の（Ｂ）における点「Ｃ」が無限遠方（あるいは、所望の位置）となるように、画像を左右、上下に移動させ、また、回転移動させる。このように、制御装置１８に配置されたスイッチの操作によって、第１画像信号の制御が行われる。即ち、制御装置１８内で表示位置補正信号が生成され、第１画像信号に表示位置補正信号が加えられる。
【００６８】
左眼用及び右眼用の画像表示装置１００，２００，３００，４００，５００によって表示される画像が、例えば、無限遠方（あるいは、所望の位置）において、左右にずれている状態を模式的に図９の（Ａ）に示し、上下にずれている状態を模式的に図９の（Ｂ）に示し、回転した状態でずれている状態を模式的に図９の（Ｃ）に示す。ここで、図９の（Ａ）、（Ｂ）及び（Ｃ）における右手側の図は、右眼用の画像表示装置１００，２００，３００，４００，５００によって表示される画像を示し、図９の（Ａ）、（Ｂ）及び（Ｃ）における左手側の図は、左眼用の画像表示装置１００，２００，３００，４００，５００によって表示される画像を示す。また、図９の（Ａ）、（Ｂ）及び（Ｃ）における右手側の図における点線は、左眼用の画像表示装置１００，２００，３００，４００，５００によって表示される画像を重ね合わせて示すものである。
【００６９】
ここで、テストパターンの水平方向の移動のためには、表示位置補正信号として、第１画像信号に基づく画像の水平方向の位置を＋ｉ画素あるいは−ｉ画素分、変える信号を制御装置１８において生成すればよい。あるいは又、水平同期信号のタイミングを＋ｉ画素あるいは−ｉ画素分、変える信号を制御装置１８において生成すればよい。また、テストパターンの垂直方向の移動のためには、表示位置補正信号として、第１画像信号に基づく画像の垂直方向の位置を＋ｊ画素あるいは−ｊ画素分、変える信号を制御装置１８において生成すればよく、あるいは又、垂直同期信号のタイミングを＋ｊ画素あるいは−ｊ画素分、変える信号を制御装置１８において生成すればよい。即ち、画像のメモリ読み出し位置を、タイミング的に、遅らす、又は、早めることにより実現することができ、あるいは、垂直同期信号と水平同期信号のタイミングをずらすことによって実現することができる。更には、テストパターンの回転移動のためには、周知の方法に基づく画像の回転のための信号を表示位置補正信号として、制御装置１８において生成すればよい。
【００７０】
そして、左眼用及び右眼用の画像表示装置１００，２００，３００，４００，５００によって表示される画像が無限遠方（あるいは、所望の位置）で一致したときの（重なり合ったときの）表示位置補正信号を表示位置制御信号として制御装置１８に記憶させる。このような操作は、例えば、制御装置１８に設けられたボタン（図示せず）を用いることで行うことができる。こうして、少なくとも一方の画像表示装置１００，２００，３００，４００，５００を構成する光学装置１２０，３２０，５２０において表示される画像の位置を制御し、以て、２つの画像表示装置１００，２００，３００，４００，５００における２つの画像の相互の位置を調整することができる。
【００７１】
そして、表示位置補正信号から得られた表示位置制御信号は、上述したとおり、制御装置（制御回路、制御手段）１８に記憶される。制御装置１８には、例えば、文字データ再生装置５１や画像データ及び文字データ再生装置５１’によって再生された第２画像信号（例えば、文字データ）が文字データ無線送信装置５２を介して無線によって送られてくる。そして、制御装置１８において、第２画像信号に対して画像表示のための処理がなされる。即ち、制御装置１８において第２画像信号に表示位置制御信号が加えられる。こうして、左眼用及び右眼用の画像表示装置１００，２００，３００，４００，５００によって表示される画像が、例えば、無限遠方（あるいは、所望の位置）で一致するように（重なり合うように）、少なくとも一方の画像表示装置１００，２００，３００，４００，５００を構成する光学装置１２０，３２０，５２０において表示される画像（第２画像信号に基づく種々の画像）の位置を制御することができる。
【００７２】
更には、頭部装着型ディスプレイから観察対象物までの距離に基づき、少なくとも一方の画像表示装置（実施例１においては、右眼用及び左眼用の２つの画像表示装置１００，２００，３００，４００，５００）を構成する画像形成装置１１１Ａ，１１１Ｂへの第２画像信号を更に制御することで、頭部装着型ディスプレイから観察対象物までの距離に対応した輻輳角の調整を行う。
【００７３】
ここで、画像形成装置１１１Ａ，１１１Ｂへの画像信号（第２画像信号）に加え、頭部装着型ディスプレイから観察対象物までの距離情報が、外部から頭部装着型ディスプレイに送出される。このような信号のフォーマットの概念図を図１０の（Ａ）に示す。そして、この距離情報に基づき、第２画像信号に基づく画像の水平方向の位置を＋ｋ画素分あるいは−ｋ画素分、変える信号（輻輳角制御信号）を制御装置１８において生成すればよい。尚、画像の水平方向の位置を１画素、変化させると、輻輳角がどの程度、変化し、あるいは又、虚像距離がどの程度、変化するかを、予め、調べておき、制御装置１８にこれらの関係を記憶しておけばよい。尚、この信号に、画像の水平方向の位置を＋ｉ画素あるいは−ｉ画素分、変える表示位置制御信号、画像の垂直方向の位置を＋ｊ画素あるいは−ｊ画素分、変える表示位置制御信号、更には、画像の回転のための表示位置制御信号が加重されて、画像形成装置１１１Ａ，１１１Ｂへ送出される。このように、距離情報（あるいは、左右の画像シフト量）によって、能動的に画像をシフトさせ、虚像を所望の位置に配することができる。
【００７４】
あるいは又、頭部装着型ディスプレイから観察対象物までの距離を測定する距離測定装置を更に備えており、距離測定装置によって距離情報を得る構成としてもよい。距離測定装置として、例えば、撮像装置１７を、オートフォーカス機能付き撮像装置（パッシブ方式の距離測定装置を有する撮像装置）とすればよい。あるいは又、制御装置１８にボタンやスイッチを設け、手動にて頭部装着型ディスプレイから観察対象物までの距離１８を設定してもよい。
【００７５】
図１０の（Ｂ）に基づき、頭部装着型ディスプレイから観察対象物までの距離に対応した輻輳角の調整の説明を行う。ここで、画像表示装置によって表示される第２画像信号に基づく画像（文字）の虚像距離を『ａ』とし、このときの画像に対する輻輳角を『α』とする。また、『γ』を、虚像距離ａから『ｃ』だけ遠ざかった場合の画像における輻輳角とし、『β』を、虚像距離ａから『ｂ』だけ近づいた場合の画像における輻輳角とする。更には、左右の瞳間距離を『Ｄ』とする。ここで、仮に、
Ｄ＝６１．５ｍｍ
ａ＝４０００ｍｍ
とすると、
α＝５３分（５３’）
となる。
【００７６】
画像形成装置における１画素を、３分（３’）と定義する。ここで、画像表示位置を、所定の位置から水平方向に１画素分、内側にずらしたとすると、
β＝５６分（５６’）
となり、
ｂ＝２２５ｍｍ
となる。一方、画像表示位置を、所定の位置から水平方向に１画素分、外側にずらしたとすると、
γ＝５０分（５０’）
となり、
ｃ＝２２８ｍｍ
となる。また、
ａ＝８０００ｍｍ
とした場合は、１画素分、画像をシフトさせると、虚像距離を約１ｍ、シフトさせることができる。
【００７７】
このように、画像表示位置を所定の位置から水平方向に所望の画素分、ずらすことで、輻輳角の調整を行うことができる。云い換えれば、右眼用及び左眼用の２つの画像表示装置１００，２００，３００，４００，５００）を構成する画像形成装置１１１Ａ，１１１Ｂへの第２画像信号を、表示位置制御信号のみならず、輻輳角制御信号によっても制御することで、頭部装着型ディスプレイから観察対象物までの距離に対応した輻輳角の正確な調整を行うことができ、その結果、観察対象物と観察者（観客）４０との間の距離と、画像表示装置によって表示される画像（例えば文字）の虚像距離とを等しくすることができ、あるいは又、出来るだけ等しくすることができ、観察対象物を眺める観察者（観客）４０が、左程、焦点を変更、変化させること無く、自然に画像表示装置によって表示される画像を眺めることができる。
【００７８】
尚、前述した第１画像信号の制御においても、基本的には、以上に説明した画像の変化と同様の変化を得ることができ、その結果、表示位置制御信号を求めることができる。
【００７９】
画像形成装置への画像信号（第２画像信号）に加え、光学装置において表示すべき画像の輝度信号を、外部から頭部装着型ディスプレイに送出することで、表示される画像の視認性を高めることができる。あるいは又、受光センサーを更に備えており、受光センサーによって得られた環境（頭部装着型ディスプレイあるいは観察対象物の置かれた雰囲気）の輝度情報に基づき、光学装置において表示すべき画像の輝度を制御する構成とすることもできる。受光センサーとして、具体的には、フォトダイオードや、撮像装置１７に備えられた露出測定用の受光素子を挙げることができる。
【００８０】
頭部装着型ディスプレイを例えば劇場にて使用する場合、芝居等におけるその内容や進行状況、背景等を説明するための説明文を画像として頭部装着型ディスプレイに表示すればよいが、虚像距離を所望の距離とすることが要求される。即ち、観劇者の座る位置によって、観察対象物と観察者（観客）との間の距離と、画像表示装置によって表示される画像（例えば文字）の虚像距離が変化する。従って、観劇者の位置に依存して、虚像距離の最適化を図る必要があるが、実施例１の頭部装着型ディスプレイにあっては、頭部装着型ディスプレイから観察対象物までの距離に対応した輻輳角の最適化が図られているので、観劇者の位置に依存して虚像距離が最適化されている。また、場面によって、虚像距離を変化させたい場合があるが、このような場合、頭部装着型ディスプレイから観察対象物までの距離情報を外部から頭部装着型ディスプレイに送出することで、容易に対処することができる。
【００８１】
あるいは又、観察者（使用者）が、虚像距離を所望の距離に設定したり、虚像位置を所望の位置に設定することも可能である。具体的には、制御装置１８にスイッチやボタンを配し、これを観察者が操作することにより、所望の距離あるいは位置に虚像を配置させることが可能である。例えば、背景が変化した場合、任意に虚像距離や虚像位置を変更することが可能である。このような操作は、例えば、観察対象物の観察時、適宜、観察者が行えばよく、このような操作は、具体的には、制御装置１８において第２画像信号に輻輳角制御信号を加える操作である。そして、これによって、観客が視線を余り動かさずに、例えば、字幕等の文字を確実に読むことが可能となるし、観客のそれぞれに適した字幕等（例えば、異なる言語に基づく字幕等）を、容易に、同時に表示することができる。
【００８２】
ここで、第２画像信号はデジタル化されたデータであり、表示の前に、予め、作成されている。画像の表示位置は、観察対象物を眺めたときに邪魔にならない位置とすればよい。また、画像の表示は、具体的には、例えば、所定のスケジュール、時間配分等に基づき、あるいは又、観察対象物の進行状況に応じて、文字データ再生装置５１や画像データ及び文字データ再生装置５１’に備えられたコンピュータ（図示せず）の制御下、文字データ無線送信装置５２によって制御装置１８に無線にて送出される。
【００８３】
実施例１の頭部装着型ディスプレイにおいて、第２画像信号として、文字データだけでなく、表示すべき文字に関する輝度データや色度データを含めれば、字幕等の文字が、文字の背景に依存して視認し難くなることを確実に防止することができる。尚、輝度データとして、画像表示装置を通して眺めた観察対象物（登場人物や背景等）を含む所定の領域（例えば、舞台全体の下方三分の一に相当する領域）の輝度に対応した輝度データを例示することができる。また、色度データとして、画像表示装置を通して眺めた観察対象物を含む所定の領域の色度に対応した色度データとすることができる。特に、半透過型（シースルー型）の光学装置越しに見るスクリーンや舞台等の明るさと、光学装置に表示される文字の明るさや色のバランスが一定の範囲にないと、字幕やスクリーン、舞台等を良好に観察することが困難となる場合があるが、表示すべき文字の明るさや色をスクリーンや舞台等に合わせることができ、文字を良好に視認することができる。即ち、観察者（観客）が眺めた観察対象物等の説明等のための文字が、文字の背景に依存して視認し難くなることを確実に防止することが可能である。そして、実施例１の頭部装着型ディスプレイの使用においては、例えば、観劇にあっては、適切なタイミングで観察対象物に関連した文字（例えば、劇の状況や背景に関する説明文、登場人物の説明文、登場人物の会話等）を画像表示装置１００，２００，３００，４００，５００において表示すればよい。具体的には、例えば、芝居の進行状況に応じて、作業者の操作によって、あるいは、コンピュータ等の制御下、文字データを画像表示装置１００，２００，３００，４００，５００に送出し、文字を画像表示装置１００，２００，３００，４００，５００にて表示すればよい。
【００８４】
更には、虚像位置が固定されると、目が疲れると云われている。焦点が固定されると、眼球の動きが少なくなるためである。それ故、適度に虚像距離を変化させ、あるいは、虚像位置を動かすことにより、目の疲れを低減させる効果がある。即ち、２つの光学装置によって形成される虚像位置、あるいは、２つの光学装置によって形成される虚像の２つの光学装置からの距離（虚像距離）を、経時的に変化させてもよい。具体的には、例えば、５分に１回、画像の水平方向の位置を、例えば、画像形成装置における＋２画素分、例えば、１分間に亙り、変化させた後、元に戻せばよい。
【００８５】
以上に説明したとおり、実施例１の方法においては、少なくとも一方の画像表示装置を構成する画像形成装置への第１画像信号を制御することで、少なくとも一方の画像表示装置を構成する光学装置において表示される画像の位置を制御し、以て、２つの画像の相互の位置を調整する。それ故、例えば、両眼視タイプの頭部装着型ディスプレイの製造時、右眼用及び左眼用の２つの画像表示装置の光学的調整、即ち、所望の画像が得られるように２つの画像表示装置の光学的な位置調整を容易に行うことができる。
【実施例２】
【００８６】
実施例２は、実施例１における画像表示装置の変形である。実施例２あるいは後述する実施例４の頭部装着型ディスプレイにおける画像表示装置２００，４００の概念図を図１１及び図１３に示すように、画像形成装置２１１は、第２の構成の画像形成装置から構成されている。即ち、光源２５１、及び、光源２５１から出射された平行光を走査する走査手段２５３を備えている。より具体的には、画像形成装置２１１は、
光源２５１、
光源２５１から出射された光を平行光とするコリメート光学系２５２、
コリメート光学系２５２から出射された平行光を走査する走査手段２５３、及び、
走査手段２５３によって走査された平行光をリレーし、出射するリレー光学系２５４、
から構成されている。尚、画像形成装置２１１全体が筐体２１３（図１１及び図１３では、一点鎖線で示す）内に納められており、係る筐体２１３には開口部（図示せず）が設けられており、開口部を介してリレー光学系２５４から光が出射される。そして、各筐体２１３が、取付け部材１９によって、テンプル部１３に取り付けられている。
【００８７】
光源２５１は、白色を発光する発光素子から構成されている。そして、光源２５１から出射された光は、全体として正の光学的パワーを持つコリメート光学系２５２に入射し、平行光として出射される。そして、この平行光は、全反射ミラー２５６で反射され、マイクロミラーを二次元方向に回転自在とし、入射した平行光を２次元的に走査することができるＭＥＭＳから成る走査手段２５３によって水平走査及び垂直走査が行われ、一種の２次元画像化され、仮想の画素（画素数は、例えば、実施例１と同じとすることができる）が生成される。そして、仮想の画素からの光は、周知のリレー光学系から構成されたリレー光学系（平行光出射光学系）２５４を通過し、平行光とされた光束が光学装置１２０に入射する。
【００８８】
リレー光学系２５４にて平行光とされた光束が入射され、導光され、出射される光学装置１２０は、実施例１にて説明した光学装置と同じ構成、構造を有するので、詳細な説明は省略する。また、実施例２の頭部装着型ディスプレイは、以上の相違点を除き、実施例１の頭部装着型ディスプレイと同じ構成、構造を有するので、詳細な説明は省略する。
【実施例３】
【００８９】
実施例３も、実施例１における画像表示装置の変形である。実施例３の頭部装着型ディスプレイにおける画像表示装置３００の概念図を図１２の（Ａ）に示す。また、反射型体積ホログラム回折格子の一部を拡大して示す模式的な断面図を図１２の（Ｂ）に示す。実施例３にあっては、画像形成装置１１１は、実施例１と同様に、第１の構成の画像形成装置から構成されている。また、光学装置３２０は、第１偏向手段及び第２偏向手段の構成、構造が異なる点を除き、基本的な構成、構造は、実施例１の光学装置１２０と同じである。
【００９０】
実施例３において、第１偏向手段及び第２偏向手段は導光板３２１の表面（具体的には、導光板３２１の第２面３２３）に配設されている。そして、第１偏向手段は、導光板３２１に入射された光を回折し、第２偏向手段は、導光板３２１の内部を全反射により伝播した光を、複数回に亙り、回折する。ここで、第１偏向手段及び第２偏向手段は、回折格子素子、具体的には反射型回折格子素子、より具体的には反射型体積ホログラム回折格子から成る。以下の説明において、反射型体積ホログラム回折格子から成る第１偏向手段を、便宜上、『第１回折格子部材３３０』と呼び、反射型体積ホログラム回折格子から成る第２偏向手段を、便宜上、『第２回折格子部材３４０』と呼ぶ。
【００９１】
そして、実施例３あるいは後述する実施例４において、第１回折格子部材３３０及び第２回折格子部材３４０は、１層の回折格子層が積層されて成る構成としている。尚、フォトポリマー材料から成る各回折格子層には、１種類の波長帯域（あるいは、波長）に対応する干渉縞が形成されており、従来の方法で作製されている。回折格子層（回折光学素子）に形成された干渉縞のピッチは一定であり、干渉縞は直線状であり、Ｚ軸に平行である。尚、第１回折格子部材３３０及び第２回折格子部材３４０の軸線はＸ軸と平行であり、法線はＹ軸と平行である。
【００９２】
図１２の（Ｂ）に反射型体積ホログラム回折格子の拡大した模式的な一部断面図を示す。反射型体積ホログラム回折格子には、傾斜角φを有する干渉縞が形成されている。ここで、傾斜角φとは、反射型体積ホログラム回折格子の表面と干渉縞の成す角度を指す。干渉縞は、反射型体積ホログラム回折格子の内部から表面に亙り、形成されている。干渉縞は、ブラッグ条件を満たしている。ここで、ブラッグ条件とは、以下の式（Ａ）を満足する条件を指す。式（Ａ）中、ｍは正の整数、λは波長、ｄは格子面のピッチ（干渉縞を含む仮想平面の法線方向の間隔）、Θは干渉縞へ入射する角度の余角を意味する。また、入射角ψにて回折格子部材に光が侵入した場合の、Θ、傾斜角φ、入射角ψの関係は、式（Ｂ）のとおりである。
【００９３】
ｍ・λ＝２・ｄ・ｓｉｎ（Θ）    （Ａ）
Θ＝９０°−（φ＋ψ）          （Ｂ）
【００９４】
第１回折格子部材３３０は、上述したとおり、導光板３２１の第２面３２３に配設（接着）されており、第１面３２２から導光板３２１に入射されたこの平行光が導光板３２１の内部で全反射されるように、導光板３２１に入射されたこの平行光を回折反射する。更には、第２回折格子部材３４０は、上述したとおり、導光板３２１の第２面３２３に配設（接着）されており、導光板３２１の内部を全反射により伝播したこの平行光を、複数回、回折反射し、導光板３２１から平行光のまま第１面３２２から出射する。
【００９５】
そして、導光板３２１にあっても、平行光が内部を全反射により伝播した後、出射される。このとき、導光板３２１が薄く導光板３２１の内部を進行する光路が長いため、各画角によって第２回折格子部材３４０に至るまでの全反射回数は異なっている。より詳細に述べれば、導光板３２１に入射する平行光のうち、第２回折格子部材３４０に近づく方向の角度をもって入射する平行光の反射回数は、第２回折格子部材３４０から離れる方向の角度をもって導光板３２１に入射する平行光の反射回数よりも少ない。これは、第１回折格子部材３３０において回折反射される平行光であって、第２回折格子部材３４０に近づく方向の角度をもって導光板３２１に入射する平行光の方が、これと逆方向の角度をもって導光板３２１に入射する平行光よりも、導光板３２１の内部を伝播していく光が導光板３２１の内面と衝突するときの導光板３２１の法線と成す角度が小さくなるからである。また、第２回折格子部材３４０の内部に形成された干渉縞の形状と、第１回折格子部材３３０の内部に形成された干渉縞の形状とは、導光板３２１の軸線に垂直な仮想面に対して対称な関係にある。
【００９６】
後述する実施例４における導光板３２１も、基本的には、以上に説明した導光板３２１の構成、構造と同じ構成、構造を有する。実施例３の頭部装着型ディスプレイは、以上の相違点を除き、実施例１の頭部装着型ディスプレイと同じ構成、構造を有するので、詳細な説明は省略する。
【実施例４】
【００９７】
実施例４は、実施例３における画像表示装置の変形である。実施例４の頭部装着型ディスプレイにおける画像表示装置の概念図を図１３に示す。実施例４の画像表示装置４００における光源２５１、コリメート光学系２５２、走査手段２５３、平行光出射光学系（リレー光学系２５４）等は、実施例２と同じ構成、構造（第２の構成の画像形成装置）を有する。また、実施例４における光学装置３２０は、実施例３における光学装置３２０と同じ構成、構造を有する。実施例４の頭部装着型ディスプレイは、以上の相違点を除き、実質的に、実施例１、実施例２の頭部装着型ディスプレイと同じ構成、構造を有するので、詳細な説明は省略する。
【実施例５】
【００９８】
実施例５は、実施例１〜実施例４における画像表示装置の変形である。実施例５の頭部装着型ディスプレイにおいて、画像表示装置を構成する導光板等の配置状態を示す概念図を、図１４（Ａ）及び（Ｂ）に示し、実施例５における頭部装着型ディスプレイを横から眺めた模式図を図１５に示す。
【００９９】
実施例１〜実施例４にあっては、図２に示したように、画像表示装置１００，３００において、画像形成装置１１１，２１１の中心から出射され、光学系１１２，２５４の画像形成装置側節点を通過した中心光線ＣＬは、導光板１２１，３２１に垂直に衝突する設計となっている。即ち、中心光線ＣＬは、導光板１２１，３２１へ、入射角０度で入射する設計となっている。そして、この場合、表示される画像の中心は、導光板１２１，３２１の第１面１２２，３２２の垂線方向に一致する。
【０１００】
即ち、画像表示装置１００で代表させるこのような画像表示装置にあっては、図２に示したように、コリメート光学系１１２の光軸上にある画像形成装置１１１の中心から出射する中心光線ＣＬは、コリメート光学系１１２にて略平行光に変換された後、導光板１２１の第１面（入射面）１２２に垂直に入射する。そして、第１偏向手段１３０により第１面１２２と第２面１２３との間で全反射されながら、伝播方向Ａに沿って進む。続いて、この中心光線ＣＬは、第２偏向手段１４０により反射、回折され、導光板１２１の第１面１２２から垂直に出射され、観察者（観客）の瞳４１に達する。
【０１０１】
シースルー型の頭部装着型ディスプレイにおいて、観察者（観客）が、水平方向に位置する観察対象物を眺めたときに、光学装置１２０，３２０，５２０が邪魔にならないようにするためには、観察者の水平方向の視線（観察者の水平方向視線）よりも、光学装置１２０，３２０，５２０を下側にずらして配置することが好ましい。このような場合、画像表示装置１００，３００、全体を、観察者の水平方向視線の下側に配置する。ところで、このような構成にあっては、図２０に示すように、画像表示装置１００、全体を、角度θ”だけ傾ける必要があり、観察者の頭部への装着のための眼鏡型のフレームの取付部（テンプル部）との関係から、画像表示装置１００を傾けることができる角度θ”が制限されたり、デザイン自由度が低くなる場合がある。それ故、観察者の水平方向視線の邪魔にならないように、高い自由度での配置を可能とし、しかも、高いデザイン自由度を有する画像表示装置とすることが、一層、望ましい。
【０１０２】
実施例５にあっては、中心光線ＣＬは、ＸＹ平面と０度以外の角度（θ）で交わる構成とした。更には、中心光線ＣＬはＹＺ平面に含まれる構成とした。更には、実施例５あるいは後述する実施例６において、光学系１１２，２５４の光軸は、ＹＺ平面に含まれ、且つ、ＸＹ平面と０度以外の角度、具体的には、角度θで交わる（図１４の（Ａ）及び（Ｂ）参照）。また、実施例５あるいは後述する実施例６において、ＸＹ平面が水平面と一致すると仮定したとき、中心光線ＣＬがＸＹ平面と交わる角度θは仰角である。即ち、ＸＹ平面の下側から中心光線ＣＬがＸＹ平面に向い、ＸＹ平面と衝突する。そして、ＸＹ平面は垂直面と０度以外の角度、具体的には、角度θで交わる。
【０１０３】
実施例５にあっては、θ＝５度とした。より具体的には、このような構成にあっては、中心光線ＣＬ（図１５では、点線で示す）は、水平面に含まれる。そして、光学装置１２０，３２０，５２０は、垂直面に対して角度θだけ傾いている。云い換えれば、光学装置１２０，３２０，５２０は、水平面に対して角度（９０−θ）度だけ傾いている。また、光学装置１２０，３２０，５２０から出射される中心光線ＣＬ’（図１５では、一点鎖線で示す）は、水平面に対して角度２θだけ傾いている。即ち、観察者が、水平方向、無限遠方の対象物を眺めたとき、光学装置１２０，３２０，５２０から出射され、観察者の瞳に入射する中心光線ＣＬ’は俯角θ’（＝２θ）をなす（図１５参照）。中心光線ＣＬ’が光学装置１２０，３２０，５２０の法線と成す角度はθである。図１４の（Ａ）あるいは後述する図１６の（Ａ）においては、光学装置１２０，３２０，５２０から中心光線ＣＬ’が出射される点を「Ｏ’」で示し、点Ｏ’を通過するＸ軸、Ｙ軸、Ｚ軸と平行な軸線をＸ’軸、Ｙ’軸、Ｚ’軸で表している。
【０１０４】
実施例５の画像表示装置にあっては、中心光線ＣＬは、ＸＹ平面と０度以外の角度（θ）で交わる。ここで、光学装置から出射され、観察者（観客）の瞳に入射する中心光線ＣＬ’は俯角θ’をなすが、
θ’＝２θ
の関係にある。一方、図２０に示した例にあっては、同じ俯角を得ようとする場合、画像表示装置の全体を角度θ”だけ傾ける必要があるが、ここで、θ”とθの関係は、
θ”＝２θ
であり、結局、図２０に示した例にあっては、光学装置を垂直面に対して２θだけ、傾けなければならない。一方、実施例５にあっては、光学装置を垂直面に対してθだけ、傾ければよいし、画像形成装置を水平に保持すればよい。従って、画像表示装置を眼鏡型のフレームの取付部に取り付けるときの画像表示装置の取付け角度に対する制限が少なく、高いデザイン自由度を得ることができる。また、光学装置の垂直面に対する傾きが、図２０に示した例よりも小さいので、外光が光学装置にて反射し、観察者（観客）の瞳に入射するといった現象が生じ難い。それ故、より高品質の画像の表示を行うことができる。
【０１０５】
実施例５の頭部装着型ディスプレイは、以上の相違点を除き、実施例１〜実施例４の頭部装着型ディスプレイと同じ構成、構造を有するので、詳細な説明は省略する。
【実施例６】
【０１０６】
実施例６は、実施例５における画像表示装置の変形である。実施例６における画像表示装置を構成する導光板等の配置状態を示す概念図を図１６（Ａ）及び（Ｂ）に示す。ここで、実施例６にあっては、光学系（平行光出射光学系，コリメート光学系）１１２の光軸は、ＹＺ平面と平行であり、ＸＹ平面と平行であり、且つ、画像形成装置１１１の中心から外れた位置を通過する。このような構成とすることで、中心光線ＣＬは、ＹＺ平面に含まれ、しかも、ＸＹ平面と仰角θをなして交わる。実施例６の頭部装着型ディスプレイは、以上の相違点を除き、実施例１〜実施例５の頭部装着型ディスプレイと同じ構成、構造を有するので、詳細な説明は省略する。
【実施例７】
【０１０７】
実施例７も、実施例１における画像表示装置の変形である。実施例７の頭部装着型ディスプレイを正面から眺めた模式図を図１７に示し、上方から眺めた模式図を図１８に示す。
【０１０８】
実施例７にあっては、光学装置５２０は、画像形成装置１１１Ａ，１１１Ｂから出射された光が入射され、観察者４０の瞳４１に向かって出射される半透過ミラーから構成されている。尚、実施例７にあっては、画像形成装置１１１Ａ，１１１Ｂから出射された光は、ガラス板やプラスチック板等の透明な部材５２１の内部を伝播して光学装置５２０（半透過ミラー）に入射する構造としているが、空気中を伝播して光学装置５２０に入射する構造としてもよい。また、画像形成装置は、実施例２において説明した画像形成装置２１１とすることもできる。
【０１０９】
各画像形成装置１１１Ａ，１１１Ｂは、フロント部１１に、例えば、ビスを用いて取り付けられている。また、部材５２１が各画像形成装置１１１Ａ，１１１Ｂに取り付けられ、光学装置５２０（半透過ミラー）が部材５２１に取り付けられている。実施例７の頭部装着型ディスプレイは、以上の相違点を除き、実質的に、実施例１〜実施例６の頭部装着型ディスプレイと同じ構成、構造を有するので、詳細な説明は省略する。
【実施例８】
【０１１０】
実施例８は、本発明の第３の態様及び第４の態様に係る頭部装着型ディスプレイにおける光学的位置調整方法に関する。実施例８の頭部装着型ディスプレイにおける光学的位置調整方法を説明するための、実施例８の頭部装着型ディスプレイを上方から眺めた模式図を、図１９に示す。
【０１１１】
実施例８にあっては、各光学装置１２０，３２０，５２０において表示される画像を対応する撮像装置（カメラ）６１Ａ，６１Ｂで撮像する。各撮像装置６１Ａ，６１Ｂによって得られた画像は、例えば、図９の（Ａ）、（Ｂ）、あるいは（Ｃ）に示したような画像である。そして、各撮像装置６１Ａ，６１Ｂによって得られた画像の位置の基準位置からのズレを求める。
【０１１２】
ここで、基準位置とは、画像形成装置１１１，２１１が正しい位置に取り付けられているとしたとき、各光学装置１２０，３２０，５２０において表示される所定の画像を対応する撮像装置（カメラ）６１Ａ，６１Ｂで撮像したときの、撮像装置（カメラ）６１Ａ，６１Ｂにおける画像撮像位置を指す。この所定の画像は、第１画像信号としての一種のテストパターンを表示し得る画像信号（入力画像信号、入力画像データ）を制御装置１８に送り、制御装置１８において、第１画像信号に対して画像表示のための処理を行い、画像形成装置において画像を生成することで得ることができる。画像形成装置１１１，２１１が正しい位置からずれて取り付けられている場合、各光学装置１２０，３２０，５２０において表示される所定の画像を対応する撮像装置（カメラ）６１Ａ，６１Ｂで撮像したとき、撮像装置（カメラ）６１Ａ，６１Ｂにおいて得られた画像撮像位置は、基準位置からずれている。
【０１１３】
ズレを無くす作業は、制御装置１８において行ってもよいし、制御装置１８に接続された外部のコンピュータにより行ってもよい。そして、ズレを無くすように、少なくとも一方の画像表示装置を構成する画像形成装置１１１，２１１への第１画像信号を制御することで、実施例１と同様に、２つの画像の相互の位置を調整する。即ち、ズレを無くすような表示位置補正信号を求める。具体的には、制御装置１８において作業者がスイッチやボタンを操作して、テストパターンを、左右へ移動させ、上下へ移動させ、また、回転移動させることで、基準位置と画像とを一致させる。そして、基準位置と画像とが一致したときの左右への移動量、上下への移動量、回転移動量に基づき表示位置補正信号を求め、決定すればよい。あるいは又、コンピュータによって、基準位置と画像との間の左右のズレ量、上下のズレ量、回転移動ズレ量を求めれば、係るズレ量が、基準位置と画像とを一致させるための表示位置補正信号となる。そして、この表示位置補正信号を表示位置制御信号として制御装置に記憶させる。
【０１１４】
以上の点を除き、実施例８の頭部装着型ディスプレイにおける光学的位置調整方法は、実施例１において説明した頭部装着型ディスプレイにおける光学的位置調整方法と、実質的に同様とすることができるので、詳細な説明は省略する。また、実施例８における頭部装着型ディスプレイの構成、構造は、実施例１〜実施例７にて説明した頭部装着型ディスプレイと同様とすればよいので、詳細な説明は省略する。
【実施例９】
【０１１５】
実施例９は、実施例８の変形である。実施例９にあっては、基準位置を、２つの光学装置１２０，３２０，５２０の前方の所定の位置に配置された被写体を撮像装置６１Ａ，６１Ｂによって撮像したときに得られる、撮像装置６１Ａ，６１Ｂにおける被写体撮像位置とした。具体的には、例えば、図９の（Ｃ）の左手側に図示したような十字型の図形を被写体として、例えば、２つの光学装置１２０，３２０，５２０の前方、例えば４ｍの位置に配置しておく。一方、２つの光学装置１２０，３２０，５２０において所定の画像（十字型の図形）を表示する。ここで、所定の画像の虚像距離も、例えば４ｍとする。即ち、第１画像信号としての一種のテストパターンを表示し得る画像信号（入力画像信号、入力画像データ）を制御装置１８に送り、制御装置１８において、第１画像信号に対して画像表示のための処理を行い、画像形成装置において所定の画像を表示する。そして、併せて、各光学装置１２０，３２０，５２０において表示される所定の画像を対応する撮像装置（カメラ）６１Ａ，６１Ｂで撮像して、画像撮像位置を得る。
【０１１６】
そして、被写体を撮像して得られた像と光学装置１２０，３２０，５２０に表示された画像とが一致する（重なり合う）ように、即ち、被写体撮像位置と画像撮像位置とが一致する（重なり合う）ように、制御装置１８において、あるいは又、制御装置１８に接続された外部のコンピュータにおいて、少なくとも一方の画像表示装置を構成する画像形成装置１１１，２１１への第１画像信号を制御することで、実施例８と同様に、２つの画像の相互の位置を調整する。即ち、実施例８において説明したと同様の操作、方法で、ズレを無くすような表示位置補正信号を求める。そして、この表示位置補正信号を表示位置制御信号として制御装置に記憶させる。
【０１１７】
以上、本発明を好ましい実施例に基づき説明したが、本発明はこれらの実施例に限定するものではない。実施例において説明した頭部装着型ディスプレイ、画像表示装置の構成、構造は例示であり、適宜変更することができる。例えば、導光板に表面レリーフ型ホログラム（米国特許第２００４００６２５０５Ａ１参照）を配置してもよい。実施例３あるいは実施例４の光学装置３２０にあっては、回折格子素子を透過型回折格子素子から構成することもできるし、あるいは又、第１偏向手段及び第２偏向手段の内のいずれか一方を反射型回折格子素子から構成し、他方を透過型回折格子素子から構成する形態とすることもできる。あるいは又、回折格子素子を、反射型ブレーズド回折格子素子とすることもできる。
【符号の説明】
【０１１８】
１０・・・フレーム、１０’・・・ノーズパッド、１１・・・フロント部、１２・・・蝶番、１３・・・テンプル部、１４・・・モダン部、１５・・・配線（信号線や電源線等）、１６・・・ヘッドホン部、１６’・・・ヘッドホン部用配線、１７・・・撮像装置、１８・・・制御装置（制御回路）、１９・・・取付け部材、４０・・・作業者あるいは観察者、４１・・・瞳、５１・・・文字データ再生装置、５１’・・・画像データ及び文字データ再生装置、５２・・・文字データ無線送信装置、６１Ａ，６１Ｂ・・・撮像装置（カメラ）、１００，２００，３００，４００，５００・・・画像表示装置、１１１，１１１Ａ，１１１Ｂ，２１１・・・画像形成装置、１１２・・・光学系（コリメート光学系）、１１３，２１３・・・筐体、１２０，３２０，５２０・・・光学装置（導光手段）、１２１，３２１・・・導光板、１２２，３２２・・・導光板の第１面、１２３，３２３・・・導光板の第２面、１２４，１２５・・・導光板の一部分、１３０・・・第１偏向手段、１４０・・・第２偏向手段、３３０・・・第１偏向手段（第１回折格子部材）、３４０・・・第２偏向手段（第２回折格子部材）、１５０・・・反射型空間光変調装置、１５１・・・液晶表示装置（ＬＣＤ）、１５２・・・偏光ビームスプリッター、１５３・・・光源、２５１・・・光源、２５２・・・コリメート光学系、２５３・・・走査手段、２５４・・・光学系（リレー光学系）、２５５・・・クロスプリズム、２５６・・・全反射ミラー
【図１】
0005499854.tif 000002
【図２】
0005499854.tif 000003
【図３】
0005499854.tif 000004
【図４】
0005499854.tif 000005
【図５】
0005499854.tif 000006
【図６】
0005499854.tif 000007
【図９】
0005499854.tif 000008
【図１０】
0005499854.tif 000009
【図１１】
0005499854.tif 000010
【図１２】
0005499854.tif 000011
【図１３】
0005499854.tif 000012
【図１４】
0005499854.tif 000013
【図１５】
0005499854.tif 000014
【図１６】
0005499854.tif 000015
【図１７】
0005499854.tif 000016
【図１８】
0005499854.tif 000017
【図１９】
0005499854.tif 000018
【図２０】
0005499854.tif 000019
【図２１】
0005499854.tif 000020
【図７】
0005499854.tif 000021
【図８】
0005499854.tif 000022